(57)【特許請求の範囲】
【請求項１】
無線通信デバイスにおいてセル再選択を開始するための基地局が実行する方法であって、
１つ以上の無線通信デバイスが第１のセルと通信する第１の周波数を決定することと、
ランダムな開始時間と時間オフセットを備える確率関数（ｐｒｏｂａｂｉｌｉｔｙ  ｆｕｎｃｔｉｏｎ）に基づく前記無線通信デバイスの少なくとも１つの複数の潜在的な（ｐｏｔｅｎｔｉａｌ）覚醒時間を決定することと、
および少なくとも部分的に前記第１の周波数で通信に干渉し、また前記無線通信デバイスの前記少なくとも１つによるセル再選択処理を開始するように構成される前記第1の周波数で前記複数の潜在的な覚醒時間のうちの１つの間に干渉ビーコンを送信することと
を備える方法。
【請求項２】
前記第１の周波数と異なる第２の周波数で前記無線通信デバイスの前記少なくとも１つと通信することをさらに備える請求項１の方法。
【請求項３】
前記ビーコンは、１つ以上のオーバヘッドチャネルを備える請求項１の方法。
【請求項４】
前記ビーコンは、Ｐ−ＳＣＨ（主要な同期化チャネル（Ｐｒｉｍａｒｙ  Ｓｙｎｃｈｒｏｎｉｚａｔｉｏｎ  Ｃｈａｎｎｅｌ））、Ｓ−ＳＣＨ（従属的な同期化チャネル（Ｓｅｃｏｎｄａｒｙ  Ｓｙｎｃｈｒｏｎｉｚａｔｉｏｎ  Ｃｈａｎｎｅｌ））、ＰＣＣＰＣＨ（主要な共通制御物理チャネル（Ｐｒｉｍａｒｙ  Ｃｏｍｍｏｎ  Ｃｏｎｔｒｏｌ  Ｐｈｙｓｉｃａｌ  Ｃｈａｎｎｅｌ））、ＢＣＣＨ（ブロードキャスト制御チャネル（Ｂｒｏａｄｖａｓｔ  Ｃｏｎｔｒｏｌ  Ｃｈａｎｎｅｌ））、ＰＩＣＨ（ページング指標チャネル（Ｐａｇｉｎｇ  Ｉｎｄｉｃａｔｏｒ  Ｃｈａｎｎｅｌ））、ＰＣＨ（ページング制御チャネル（Ｐａｇｉｎｇ  Ｃｏｎｔｒｏｌ  Ｃｈａｎｎｅｌ）およびＰＣ−ＰＩＣＨ（主要な共通パイロットチャネル（（Ｐｒｉｍａｒｙ  Ｃｏｍｍｏｎ  Ｐｉｌｏｔ  Ｃｈａｎｎｅｌ））の１つ以上を備える請求項３の方法。
【請求項５】
前記ビーコンは、前記第１のセルと異なる第２のセルに関するセルデータを備える、請求項１の方法。
【請求項６】
前記セルデータは、セルアクセス制限状態は、妨げられる（ｂａｒｒｅｄ）、確保される、あるいは、将来ユーザの状態のために確保されたセルのうちの１つにセットされることを示す請求項５の方法。
【請求項７】
前記セルデータは、ＣＳＧ（閉じた加入者グループ（Ｃｌｏｓｅｄ  Ｓｕｂｓｃｒｉｂｅｒ  Ｇｒｏｕｐ））のために確保されたセルが正しくセットされたことを示す、請求項５の方法。
【請求項８】
前記セルデータは、前記第１のセルのＬＡＩ（所在位置区域識別（Ｌｏｃａｔｉｏｎ  Ａｒｅａ  Ｉｄｅｎｔｉｆｉｅｒ）である前記ビーコンのＬＡＩを示す、請求項７の方法。
【請求項９】
前記第１のセルの前記ＬＡＩは、前記第２のセルのＬＡＩとは異なる、請求項８の方法。
【請求項１０】
前記無線通信デバイスの前記少なくとも１つの前記複数の潜在的な覚醒時間の第１の覚醒時間を決定することをさらに備え、前記ビーコンは決定された第１の覚醒時間の間に送信される、請求項１の方法。
【請求項１１】
前記無線通信デバイスの前記少なくとも１つの前記複数の潜在的な覚醒時間の第２の覚醒時間を決定することと、および前記第２の決定された覚醒時間の間に前記第１の周波数で他の干渉ビーコンを送信することをさらに備える請求項１０の方法。
【請求項１２】
第１の覚醒時間は、前記第１のセルのＳＦＮ（システムフレーム番号（Ｓｙｓｔｅｍ  Ｆｒａｍｅ  Ｎｕｍｂｅｒ））、および前記無線通信デバイスの前記少なくとも１つのＩＭＳＩ（国際的なモバイル加入者識別（Ｉｎｔｅｒｎａｔｉｏｎａｌ  Ｍｏｂｉｌｅ  Ｓｕｂｓｃｒｉｂｅｒ  Ｉｄｅｎｔｉｔｙ））に少なくとも部分的に基づいて決定されることを特徴とする請求項１０の方法。
【請求項１３】
他の前記決定された潜在的な覚醒時間の間前記第１の周波数で複数の追加の干渉ビーコンを送信すること
をさらに備える請求項１の方法。
【請求項１４】
前記潜在的な覚醒時間は、前記第１のセルのＳＦＮ（システムフレーム番号（Ｓｙｓｔｅｍ  Ｆｒａｍｅ  Ｎｕｍｂｅｒ））に少なくとも部分的に基づいて決定される、請求項１３の方法。
【請求項１５】
前記第１の周波数で複数の干渉ビーコンを送信することをさらに備える請求項１の方法。
【請求項１６】
前記第１の周波数で周期的に干渉ビーコンを送信することをさらに備える請求項１の方法。
【請求項１７】
無線通信デバイスにおいてセルの再選択を開始するための装置であって、
１つ以上の無線通信デバイスが第１のセルと通信する、第１の周波数を決定するように、
および、ランダムな開始時間と時間オフセットを備える確率関数（ｐｒｏｂａｂｉｌｉｔｙ  ｆｕｎｃｔｉｏｎ）に基づく前記無線通信デバイスの少なくとも１つの複数の潜在的な（ｐｏｔｅｎｔｉａｌ）覚醒時間を決定するように、
構成されたプロセッサと、
および、少なくとも部分的に前記第１の周波数で通信に干渉し、かつ前記無線通信デバイスの少なくとも１つによるセル再選択処理を開始するように構成された前記第１の周波数で前記複数の潜在的な覚醒時間のうちの１つの間に干渉ビーコンを送信するように構成されたトランシーバと
を備える装置。
【請求項１８】
前記トランシーバは、前記第１の周波数と異なる第２の周波数で前記無線通信デバイスの前記少なくとも１つと通信するようさらに構成される請求項１７の装置。
【請求項１９】
前記ビーコンは、Ｐ−ＳＣＨ（主要な同期化チャネル（Ｐｒｉｍａｒｙ  Ｓｙｎｃｈｒｏｎｉｚａｔｉｏｎ  Ｃｈａｎｎｅｌ））、Ｓ−ＳＣＨ（従属的な同期化チャネル（Ｓｅｃｏｎｄａｒｙ  Ｓｙｎｃｈｒｏｎｉｚａｔｉｏｎ  Ｃｈａｎｎｅｌ））、ＰＣＣＰＣＨ（主要な共通制御物理チャネル（Ｐｒｉｍａｒｙ  Ｃｏｍｍｏｎ  Ｃｏｎｔｒｏｌ  Ｐｈｙｓｉｃａｌ  Ｃｈａｎｎｅ）、ＢＣＣＨ（ブロードキャスト制御チャネル（Ｂｒｏａｄｃａｓｔ  Ｃｏｎｔｒｏｌ  Ｃｈａｎｎｅｌ）、ＰＩＣＨ（ページング指標チャネル（Ｐａｇｉｎｇ  Ｉｎｄｉｃａｔｏｒ  Ｃｈａｎｎｅｌ）、ＰＣＨ（ページング制御チャネル（Ｐａｇｉｎｇ  Ｃｏｎｔｒｏｌ  Ｃｈａｎｎｅｌ）、およびＰＣ−ＰＩＣＨ（主要な共通パイロットチャネル（Ｐｒｉｍａｒｙ  Ｃｏｍｍｏｎ  Ｐｉｌｏｔ  Ｃｈａｎｎｅｌ）の１つ以上を含む、請求項１７の装置。
【請求項２０】
前記プロセッサは、前記無線通信デバイスの前記少なくとも１つの前記複数の潜在的な覚醒時間の第１の覚醒時間を決定するようさらに構成され、前記トランシーバは、前記決定された第１の覚醒時間の間に前記ビーコンを送信するように構成される、請求項１７の装置。
【請求項２１】
前記第１の覚醒時間は、前記第１のセルのＳＦＮ（システムフレーム番号（Ｓｙｓｔｅｍ  Ｆｒａｍｅ  Ｎｕｍｂｅｒ）、および前記複数の無線通信デバイスの前記少なくとも１つのＩＭＳＩ（国際的なモバイル加入者識別（Ｉｎｔｅｒｎａｔｉｏｎａｌ  Ｓｕｂｓｃｒｉｂｅｒ  Ｉｄｅｎｔｉｔｙ）に少なくとも一部分基づいて決定されることを特徴とする請求項２０の装置。
【請求項２２】
前記トランシーバは、さらに、前記他の決定された潜在的な覚醒時間の間に前記第１の周波数で複数の追加の干渉ビーコンを送信するように構成された、請求項１７の装置。
【請求項２３】
前記潜在的な覚醒時間は、前記第１のセルのＳＦＮ（システムフレーム番号（Ｓｙｓｔｅｍ  Ｆｒａｍｅ  Ｎｕｍｂｅｒ）に少なくとも部分的に基づいて決定される、請求項２２の装置。
【請求項２４】
１つ以上の無線通信デバイスが第１のセルと通信する第１の周波数をコンピュータに、決定させるためのコードと、
ランダムな開始時間と時間オフセットを備える確率関数に基づく前記無線通信デバイスの少なくとも１つの複数の潜在的な覚醒時間を前記コンピュータに、決定させるためのコードと、
および、少なくとも部分的に前記第１の周波数で通信に干渉し、また前記無線通信デバイスの前記少なくとも１つによるセル再選択処理を開始するように構成された前記第１の周波数で前記コンピュータに前記複数の潜在的な覚醒時間の１つの間に干渉ビーコンを送信させるためのコードと
をさらに格納するコンピュータ可読記憶媒体。
【請求項２５】
前記コンピュータに、前記第１の周波数と異なる第２の周波数で前記無線通信デバイスの前記少なくとも１つと通信させるためコードをさらに含む、請求項２４のコンピュータ可読記憶媒体。
【請求項２６】
前記コンピュータに、前記無線通信デバイスの前記少なくとも１つの前記複数の潜在的な覚醒時間の第１の覚醒時間を決定させ、かつ前記決定された第１の覚醒時間の間に前記ビーコンを送信させるためのコードをさらに備える、請求項２４のコンピュータ可読記憶媒体。
【請求項２７】
前記第１の覚醒時間は、前記第１のセルのＳＦＮ（システムフレーム番号（Ｓｙｓｔｅｍ  Ｆｒａｍｅ  Ｎｕｍｂｅｒ））および前記複数の無線通信デバイスの前記少なくとも１つのＩＭＳＩ（国際的なモバイル加入者識別（Ｉｎｔｅｒｎａｔｉｏｎａｌ  Ｍｏｂｉｌｅ  Ｓｕｂｓｃｒｉｂｅｒ  Ｉｄｅｎｔｉｔｙ））に少なくとも部分的に基づいて決定される、請求項２６のコンピュータ可読記憶媒体。
【請求項２８】
前記コンピュータに他の前記決定された潜在的な覚醒時間の間に前記第１の周波数で複数の追加の干渉ビーコンを送信させるためのコード
をさらに備える請求項２４のコンピュータ可読記憶媒体。
【請求項２９】
前記潜在的な覚醒時間は、前記第１のセルのＳＦＮ（システムフレーム番号（Ｓｙｓｔｅｍ  Ｆｒａｍｅ  Ｎｕｍｂｅｒ））に少なくとも部分的に基づいて決定される、請求項２８のコンピュータ可読記憶媒体。
【請求項３０】
無線通信デバイスにおいてセルの再選択を開始するための装置であって、
１つ以上の無線通信デバイスが第１のセルと通信する第１の周波数を決定するための手段と、
ランダムな開始時間と時間オフセットを備える確率関数（ｐｒｏｂａｂｉｌｉｔｙ  ｆｕｎｃｔｉｏｎ）に基づく前記無線通信デバイスの少なくとも１つの複数の潜在的な（ｐｏｔｅｎｔｉａｌ）覚醒時間を決定するための手段と、
および少なくとも部分的に前記第１の周波数で通信に干渉し、また前記無線通信デバイスの前記少なくとも１つによるセル再選択処理を開始するように構成された前記第１の周波数で前記複数の潜在的な覚醒時間のうちの１つの間に干渉ビーコンを送信するための手段と
を備える装置。
【請求項３１】
前記第１の周波数と異なる第２の周波数で前記無線通信デバイスの前記少なくとも１つと通信するための手段をさらに備える請求項３０の装置。
【請求項３２】
前記無線通信デバイスの前記少なくとも１つの前記複数の潜在的な覚醒時間の第１の覚醒時間を決定するための手段をさらに備え、前記ビーコンは前記決定された第１の覚醒時間の間に送信される、請求項３０の装置。
【請求項３３】
複数の追加の干渉ビーコンが前記他の決定された潜在的な覚醒時間の間に前記第１の周波数で送信される、請求項３０の装置。
【発明の詳細な説明】
【技術分野】
【０００１】
関係出願の相互参照
本出願は、米国特許法第１１９条（ｅ）の下で、２００９年２月１０日に出願された米国仮出願第６１／１５１，４７８号、２００９年９月２３日に出願された米国仮出願第６１／２４５，２００号、２００９年１１月１７日に出願された米国仮出願第６１／２６２，０９３号の優先権を主張し、それは参照によってそれらの全体に組み入れられる。
【０００２】
本開示は、無線通信ネットワークに関係し、無線通信デバイスにビーコンを送信するセルを再選択させる無線通信ネットワークにおけるビーコン伝送に特に関係がある。
【背景技術】
【０００３】
関係技術の説明
無線通信システムは、音声、データなどのようなさまざまなタイプの通信内容を提供するために広く展開されている。これらのシステムは、利用可能システムリソース（例えば帯域幅と送信電力）を共有することにより、複数ユーザとの通信を支援することができるマルチアクセスシステムであり得る。そのようなマルチアクセスシステムの例は、符号分割多元接続（ｃｏｄｅ  ｄｉｖｉｓｉｏｎ  ｍｕｌｔｉｐｌｅ  ａｃｃｅｓｓ：ＣＤＭＡ）システム、時分割多元接続（ｔｉｍｅ  ｄｉｖｉｓｉｏｎ  ｍｕｌｔｉｐｌｅ  ａｃｃｅｓｓ：ＴＤＭＡ）システム、周波数分割多元接続（ｆｒｅｑｕｅｎｃｙ  ｄｉｖｉｓｉｏｎ  ｍｕｌｔｉｐｌｅ  ａｃｃｅｓｓ：ＦＤＭＡ）システム、３ＧＰＰロングタームエボリューション（Ｌｏｎｇ  Ｔｅｒｍ  Ｅｖｏｌｕｓｉｏｎ：ＬＴＥ）システムおよび垂直周波数分割多元接続（ｏｒｔｈｏｇｏｎａｌ  ｄｉｖｉｓｉｏｎ  ｍｕｌｔｉｐｌｅ  ａｃｃｅｓｓ：ＯＦＤＭＡ）システムを含んでいる。
【０００４】
一般に、無線多元接続通信システムは、同時に多数の無線端末のための通信を支援することができる。端末は、それぞれ１つ以上の順方向リンクおよび逆方向リンク上の送信によって１つ以上の基地局と通信する。フォワードリンク（つまり、ダウンリンク）は基地局から端末へ通信リンクを指す。また、逆方向のリンク（つまり、アップリンク）は端末から基地局への通信リンクを指す。これらの通信リンクは、単一入力単一出力（ｓｉｎｇｌｅ−ｉｎｐｕｔ−ｓｉｎｇｌｅ−ｏｕｔｐｕｔ：ＳＩＳＯ）、複数入力単一出力（ｍｕｌｔｉｐｌｅ−ｉｎｐｕｔ−ｓｉｎｇｌｅ−ｏｕｔｐｕｔ：ＭＩＳＯ）あるいは複数入力複数出力（ｓｉｎｇｌｅ−ｉｎｐｕｔ−ｍｕｌｔｉｐｌｅ−ｏｕｔｐｕｔ：ＭＩＭＯ）システムによって確立され得る。
【０００５】
従来の携帯電話ネットワーク基地局を補うために、追加の基地局は、移動ユニットにより多くの強健な無線のカバー範囲を供給するために展開されえる。例えば、無線中継局および小さなカバー範囲の基地局（例えばアクセスポイント基地局、ホームノードＢ（Ｈｏｍｅ  ＮｏｄｅＢ：ＮＨＢ）、フェムトアクセスポイント、フェムトセルとして参照された）は、ますます増加する容量の成長、より豊富なユーザ経験、構築中のカバー範囲のために展開され得る。典型的には、そのような小さなカバー範囲の基地局は、ＤＳＬルータあるいはケーブルモデムによってインターネットおよび携帯電話会社のネットワークに接続される。これらの他のタイプの基地局が、従来の基地局（例えばマクロ基地局あるいはマクロノードＢ（マクロＮＢ））とは異なっているやり方で従来の携帯電話ネットワーク（例えば、バックホール）に加えられて得るので、これらの他のタイプの基地局およびそれらの関連するユーザ設備を管理する有効な技術のための必要性がある。
【発明の概要】
【０００６】
発明のシステム、方法、装置、およびコンピュータ可読媒体は、それぞれ、いくつかの態様を有し、その望ましい属性に単独で責任はないその単一の１つを有しない。後述の請求項によって表現されるような本発明の範囲を限定せずに、そのより顕著な特徴が今簡潔に検討されるだろう。この検討を考慮した後に、および、特に、「詳細な説明」とタイトルを付けられたセクションを読んだ後に、当業者が本発明の特徴がどのようにしてセル再選択の干渉ビーコン伝送および開始を提供するかを認識するだろう。
【０００７】
１つの実施例において、第１の基地局は、無線通信デバイスがセルサーチおよび再選択処理を開始し、それゆえ、第１の基地局を発見し、再選択するように無線通信デバイスと第２の基地局との間の通信リンクの測定された信号の品質を減少する１つ以上の干渉ビーコンを送信するように構成される。
【０００８】
１つの態様は、無線通信デバイスにおいてセルの再選択の方法であり、前記方法は、１つ以上の無線通信デバイスが第１のセルと通信する、第１の周波数を決定すること、および少なくとも部分的に第１の周波数での通信に干渉し、かつ無線通信デバイスの少なくとも１つによるセル再選択処理を始めるように構成された第１の周波数で干渉ビーコンを送信することを備える。
【０００９】
１つの実施例において、方法は、第１の周波数と異なる第２の周波数で無線通信デバイスの少なくとも１つと通信することをさらに含む。
【００１０】
１つの実施例において、方法は、無線通信デバイスの少なくとも１つの起動時間を決定することをさらに含み、ビーコンは決められた起動時間の間に送信される。起動時間は、第１のセルのＳＦＮ（システムフレーム番号（Ｓｙｓｔｅｍ  Ｆｒａｍｅ  Ｎｕｍｂｅｒ））、および無線通信デバイスの少なくとも１つのＩＭＳＩ（国際モバイル加入者識別（Ｉｎｔｅｒｎａｔｉｏｎａｌ  ｍｏｂｉｌｅ  Ｓｕｂｓｃｒｉｂｅｒ  Ｉｄｅｎｔｉｔｙ））に少なくとも一部分基づいて決定され得る。
【００１１】
１つの実施例において、方法は、無線通信デバイスの少なくとも１つの複数の可能性のある覚醒時間を決定することをさらに含む。そこではビーコンは複数の可能性のある覚醒時間の１つの間に送信され、他の決定された可能性のある覚醒時間の間に第１の周波数で複数の追加の干渉ビーコンを送信している。可能性のある覚醒時間は、第１のセルのＳＦＮ（システムフレーム番号（Ｓｙｓｔｅｍ  Ｆｒａｍｅ  Ｎｕｍｂｅｒ））に少なくとも一部分基づいて決定され得る。
【００１２】
別の態様は、無線通信デバイスにおいてセル再選択の開始のための装置であり、この装置は、１つ以上の無線通信デバイスが第１のセルと通信する第１の周波数を決定するように構成されるプロセッサ、および少なくとも部分的に第１の周波数で通信に干渉し、かつ無線通信デバイスの少なくとも１つによるセル再選択処理を開始するように構成された第１の周波数で干渉ビーコンを送信するように構成されたトランシーバを備える。
【００１３】
別の態様は、１つ以上の無線通信デバイスが第１のセルと通信する第１の周波数を決定するためのコード、および少なくとも部分的に第１の周波数で通信に干渉し、かつ無線通信デバイスの少なくとも１つによるセル再選択処理を開始するように構成された第１の周波数で干渉ビーコンを送信するためのコードをさらに含むコンピュータ可読媒体を含むコンピュータプログラム製品である。
【００１４】
別の態様は、無線通信デバイスにおけるセルの再選択を開始するための装置であり、装置は、１つ以上の無線通信デバイスが第１のセルと通信する第１の周波数を決定するための手段、および、第１の周波数で通信に少なくとも部分的に干渉し、無線通信デバイスの少なくとも１つによるセル再選択処理を開始するように構成される第１の周波数で干渉ビーコンを送信するための手段を備える。
【図面の簡単な説明】
【００１５】
【図１】図１は、無線通信システムの機能ブロック図である。
【図２】図２は、セルラーネットワークの一部のブロック図である。
【図３】図３はビーコン送信の方法を例示するフロー図である。
【図４】図４はセル再選択の方法を例証する流れ図である。
【図５】図５は複数周波数に対するビーコン送信のプロットである。
【図６】図６は、ページング指標チャネル（ｐａｇｉｎｇ  ｉｎｄｉｃａｔｏｒ  ｃｈａｎｎｅｌ：ＰＩＣＨ）の構造の１つの実施例を例示するブロック図である。
【図７】図７は、覚醒時間（ｑ）対システムフレーム番号（Ｓｙｓｔｅｍ  Ｆｒａｍｅ  Ｎｕｍｂｅｒ：ＳＦＮ）のプロットである。
【図８】図８は、ページング指標チャネル（ｐａｇｉｎｇ  ｉｎｄｉｃａｔｏｒ  ｃｈａｎｎｅｌ：ＰＩＣＨ）の構造の別の実施例を例示するブロック図である。
【図９】図９は、連続するＤＲＸサイクルの間の複数のビーコンの送信を例示するブロック図である。
【図１０】図１０は、ビーコン送信の別の方法を例示するフロー図である。
【図１１】図１１は、複数の可能性のあるＵＥの覚醒時間に複数のビーコンの送信を例示するブロック図である。
【図１２】図１２は別のビーコン送信をさらに例示するフロー図である。
【図１３】図１３は、ＨＮＢ発見時間の累積密度関数（ｃｕｍｕｌａｔｉｖｅ  ｄｅｎｎｓｉｔｙ  ｆｕｎｃｔｉｏｎ：ＣＤＦ）のグラフである。
【図１４】図１４は、ＵＥの覚醒時間の相違の推定された確率塊関数のグラフである。
【図１５】図１５は、２ミリ秒のオン期間および８ミリ秒のオフ期間があるビーコン送信パターンのブロック図である。
【図１６】図１６は、２ミリ秒のパターン移動を含むビーコン送信パターンのブロック図である。
【図１７】図１７は、４ミリ秒のオン期間および１６ミリ秒のオフ期間があるビーコン送信パターンのブロック図である。
【図１８】図１８は、２ミリ秒のパターン移動を含むビーコン送信パターンの別のブロック図である。
【図１９】図１９は、ここに示唆されるようなビーコン送信動作を提供するように構成された装置の例の態様の簡略されたブロック図である。
【００１６】
慣例に従って、図面において例示されたさまざまな特徴は、縮尺のためには描かれなくてもよい。従って、さまざまな特徴の次元は、明瞭さのために任意に拡大してもよいし縮小され得る。さらに、図面のうちのいくつかは明瞭さのために単純化され得る。したがって、図面は、与えられた装置（例えばデバイス）あるいは方法のコンポーネントのすべてを描くとは限らなくてもよい。最後に、同じ参照番号が、明細書と図面を通して同じ特徴を示すために使用され得る。
【詳細な説明】
【００１７】
次の詳細な記述は、ある特定の態様を指向している。しかしながら、態様は、例えば、請求項によって定義されカバーされるように、多くの異なる方法で具体化することができる。ここの態様が種々さまざまな形式において具体化され、任意の特有の構造、機能、あるいはその両方がここに示されることは単に代表的であることは明らかである。ここでの示唆に基づいて、当業者は、ここに開示された態様が他の態様と無関係にインプリメントされ、これらの態様の２つ以上がさまざまな方法で組み合わせられ得ることを認識するべきである。例えばここで述べられた任意の数の態様を使用して、装置はインプリメントされ、あるいは、方法は実行され得る。さらに、他の構造および機能を使用してあるいは、ここで述べられた態様の１つ以上に加えて、それら以外の構造および機能を使用して、そのような装置はインプリメントされ得る。同様に、ここに開示された方法は、コードとして格納されたコンピュータ可読記憶媒体から検索された命令を実行するように構成される、１つ以上のコンピュータプロセッサによって実行され得る。コンピュータ可読記憶媒体は、時間のいくつかの区間に対して、時間のその区間の間に情報がコンピュータによって読み出されるようにデータまたは命令のような情報を格納する。コンピュータ読取り可能な記憶媒体の例は、ランダムアクセスメモリ（ｒａｎｄｏｍ  ａｃｃｅｓｓ  ｍｅｍｏｒｙ：ＲＡＭ）のようなメモリ、およびハードドライブ、光ディスク、フラッシュメモリ、フロッピー（登録商標）ディスク、磁気テープ、紙テープ、穿孔カードおよびジップ（Ｚｉｐ）・ドライブのような記憶装置である。
【００１８】
ここに記述された技術は、符号分割多元接続（Ｃｏｄｅ  Ｄｉｖｉｓｉｏｎ  Ｍｕｌｔｉｐｌｅ  Ａｃｃｅｓｓ：ＣＤＭＡ）ネットワーク、時分割多元接続（Ｔｉｍｅ  Ｄｉｖｉｓｉｏｎ  Ｍｕｌｔｉｐｌｅ  Ａｃｃｅｓｓ：ＴＤＭＡ）ネットワーク、周波数分割多元接続（Ｆｒｅｑｕｅｎｃｙ  Ｄｉｖｉｓｉｏｎ  Ｍｕｌｔｉｐｌｅ  Ａｃｃｅｓｓ：ＦＤＭＡ）ネットワーク、直交ＦＤＭＡ（Ｏｒｔｈｏｇｏｎａｌ  ＦＤＭＡ：ＯＦＤＭＡ）ネットワーク、シングルキャリアＦＤＭＡ（Ｓｉｎｇｌｅ−Ｃａｒｒｉｅｒ  ＦＤＭＡ：ＳＣ−ＦＤＭＡ）ネットワークなどのようなさまざまな無線通信ネットワークに使用されてもよい。「ネットワーク」、「システム」という用語はしばしば交換可能に使用される。ＣＤＭＡネットワークは、ユニバーサル・テレスティアル・ラジオ・アクセス（Ｕｎｉｖｅｒｓａｌ  Ｔｅｒｒｅｓｔｒｉａｌ  Ｒａｄｉｏ  Ａｃｃｅｓｓ：ＵＴＲＡ）、ｃｄｍａ２０００などのようなラジオ技術をインプリメントし得る。ＵＴＲＡは広域ＣＤＭＡ（Ｗｉｄｅｂａｎｄ−ＣＤＭＡ：Ｗ−ＣＤＭＡ）および低チップレート（Ｌｏｗ  Ｃｈｉｐ  Ｒａｔｅ：ＬＣＲ）を含んでいる。ｃｄｍａ２０００は、ＩＳ−２０００標準、ＩＳ−９５標準、およびＩＳ−８５６標準をカバーする。ＴＤＭＡネットワークは、移動通信のためのグローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ：ＧＳＭ（登録商標））のようなラジオ技術をインプリメントし得る。ＯＦＤＭＡネットワークは、発展型ＵＴＲＡ（Ｅｖｏｌｖｅｄ  ＵＴＲＡ：Ｅ−ＵＴＲＡ）、ＩＥＥＥ８０２．１１、ＩＥＥＥ８０２．１６、ＩＥＥＥ８０２．２０、フラッシュＯＦＤＭ（ＦｌａｓｈＯＦＤＭ）などのようなラジオ技術をインプリメントしてもよい。ＵＴＲＡ、Ｅ−ＵＴＲＡ、およびＧＳＭ（登録商標）は、ユニバーサル・モバイル・テレコミュニケーションシステム（Ｕｎｉｖｅｒｓａｌ  Ｍｏｂｌｅ  Ｔｅｌｅｃｏｍｍｕｎｉｃａｔｉｏｎ  Ｓｙｓｔｅｍ：ＵＭＴＳ）の一部である。ロングタームエボリューション（Ｌｏｎｇ  Ｔｅｒｍ  Ｅｖｏｌｕｔｉｏｎ：ＬＴＥ）は、Ｅ−ＵＴＲＡを使用するＵＭＴＳの次に現れるリリースである。ＵＴＲＡ、Ｅ−ＵＴＲＡ、ＧＳＭ（登録商標）、ＵＭＴＳおよびＬＴＥは、「第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ）」（３ＧＰＰ）という名の組織からの文献に記載される。ｃｄｍａ２０００は、「第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ  ２）」（３ＧＰＰ２）という名の組織からの文献に記載される。これらのさまざまなラジオ技術および標準他は、当該技術において知られている。
【００１９】
シングルキャリア周波数分割多元接続（Ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ：ＳＣ−ＦＤＭＡ）は、単一のキャリア変調および周波数領域等化を利用する、多元接続技術である。ＳＣ−ＦＤＭＡは、ＯＦＤＭＡシステムのものと同じ性能、および本質的に同じ全面的な複雑さを有している。ＳＣ−ＦＤＭＡ信号は、その固有の単一のキャリア構造のために、より低いピークに対平均電力の比率（ｐｅａｋ−ｔｏ−ａｖｅｒａｇｅ  ｐｏｗｅｒ  ｒａｔｉｏ：ＰＡＰＲ）を有している。ＳＣ−ＦＤＭＡは、より低くいＰＡＰＲが送信電力効率の点からモバイル端末に非常に役立つアップリンク通信で、特に大きな注意を引き寄せた。それは、現在３ＧＰＰのロングタームエボリューション（Ｌｏｎｇ  Ｔｅｒｍ  Ｅｖｏｌｕｔｉｏｎ：ＬＴＥ）、あるいは発展型ＵＴＲＡにおいてアップリンク多元接続スキームのための役立つ仮定である。
【００２０】
図１を参照して、無線通信システム１０の１つの実施例は、少なくとも１つのユーザ設備（ｕｓｅｒ  ｅｑｕｉｐｍｅｎｔ：ＵＥ）１００、および第１の通信リンク（あるいはキャリア）３０１、および第２の通信リンク（あるいはキャリア）３０２を通して互いと通信する少なくとも１つの基地局２００を含んでいる。第１と第２のキャリア３０１および３０２の各々は、アップリンクキャリア、ダウンリンクキャリア、あるいはアップリンク／ダウンリンクキャリアでありえる。さらに、第１と第２のキャリア３０１および３０２の各々は、データがキャリアによって送信され得る活性状態か、あるいはデータがキャリアによって送信されない不活性状態のいずれかにある。
【００２１】
ユーザ設備１００は、メモリ１２０、入力装置１３０、および出力装置１４０を備えたデータ通信もプロセッサ（「ＣＰＵ」）１１０を含む。プロセッサ１１０は、さらに、モデム１５０およびトランシーバ１６０を備えたデータ通信にある。トランシーバ１６０は、さらに、モデム１５０およびアンテナ１７０を備えたデータ通信にある。ユーザ設備１００およびそれのコンポーネントはバッテリー１８０および／または外部電源によって動力が供給される。いくつかの実施例において、バッテリー１８０あるいはその一部分は、パワーインタフェース１９０によって外部電源によって再充電可能である。別々に記述されたが、ユーザ設備１００に関して記述された機能的ブロックが個別の構造エレメントである必要がないことが認識されるべきである。例えば、プロセッサ１１０およびメモリ１２０はシングルチップで具体化され得る。同様に、プロセッサ１１０、モデム１５０、およびトランシーバ１６０の２以上は、シングルチップで具体化され得る。
【００２２】
プロセッサ１１０は、汎用プロセッサ、デジタル信号プロセッサ（ｄｉｇｉｔａｌ  ｓｉｇｎａｌ  ｐｒｏｃｅｓｓｏｒ：ＤＳＰ）、特定用途向けＩＣ（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）、フィールドプログラマブルゲートアレイ（ｆｉｅｌｄ  ｐｒｏｇｒａｍｍａｂｌｅ  ｌｏｇｉｃ  ｇａｔｅ  ａｒｒａｙ：ＦＰＧＡ）あるいは他のプログラマブルロジックデバイス、個別のゲートのロジックあるいはトランジスターロジック、個別のハードウェアコンポーネントあるいはそれのここに記載された機能を行なうことを指向した任意の適切な組合せであり得る。プロセッサ１１０は、また、コンピューティング装置、例えばＤＳＰとマイクロプロセッサの組合せ、複数のマイクロプロセッサ、ＤＳＰコアと協働する１個以上のマイクロプロセッサあるいは他のそのような構成としてインプリメントされ得る。
【００２３】
プロセッサ１１０は、１つ以上のバスによって、メモリから情報を読み出し、あるいはメモリ１２０に情報を書くために連結される。プロセッサは、さらに、あるいは代わりに、プロセッサレジスタとしてのようなメモリを含む。メモリ１２０は、異なるレベルが異なる容量およびアクセス速度を持っている複数レベルの階層的キャッシュを含むプロセッサーキャッシュを含むことができる。メモリ１２０は、さらにランダムアクセスメモリ（ＲＡＭ）、他の揮発性記憶装置あるいは不揮発性記憶装置を含むことができる。記憶装置は、ハードドライブ、コンパクトディスク（ｃｏｍｐａｃｔ  ｄｉｓｃ：ＣＤ）あるいはディジタルビデオディスク（ｄｉｇｉｔａｌ  ｖｉｄｅｏ  ｄｉｓｃ：ＤＶＤ）のような光ディスク、フラッシュメモリ、フロッピーディスク、磁気テープおよびジップ・ドライブを含むことができる。
【００２４】
プロセッサ１１０、また、ユーザ設備のユーザからの入力を受取ることおよびユーザに出力を提供するために、入力装置１３０および出力装置１４０にそれぞれつながれる。適切な入力装置は、キーボード、ボタン、キー、スイッチ、ポインティングデバイス、マウス、ジョイスティック、リモートコントロール、赤外線検出器、ビデオカメラ（恐らく、例えば、手の身振りか顔の身振りを検知するビデオ処理ソフトウェアに繋がれている）、動作検出器、あるいはマイクロホン（恐らく、例えば、音声コマンドを検知する音声処理ソフトウェアにつながれる）を含むがそれらに限定されない。適切な出力装置は、ディスプレイとプリンタを含む視覚的な出力装置、スピーカー、ヘッドホン、イヤホンおよびアラームを含む音声出力装置、また力フィードバックゲームコントローラおよび振動装置を含む触覚型の出力装置を含むが、それらに限定されない。
【００２５】
プロセッサ１１０は、モデム１５０およびトランシーバ１６０にさらにつながれる。モデム１５０およびトランシーバ１６０は、１つ以上のエアーインターフェース標準に従ってアンテナ１７０によってキャリア３０１および３０２上の無線送信のためにプロセッサ１１０によって生成されたデータを準備する。モデム１５０およびトランシーバ１６０は、さらに、１つ以上のエアーインターフェース標準に従ってアンテナ１７０によるキャリア３０１および３０２上で受信されたデータを復調する。トランシーバは、送信器１６２、受信機１６４、あるいは両方を含むことができる。他の実施例において、送信器１６２および受信機１６４は、２つの別個のコンポーネントである。モデム１５０およびトランシーバ１６０は、汎用プロセッサ、デジタル信号プロセッサ（ＤＳＰ）、特定用途向けＩＣ（ＡＳＩＣ）、フィールドプログラマブルゲートアレイ（ＦＰＧＡ）あるいは他のプログラマブルロジックデバイス、個別のゲートロジックあるいはトランジスターロジック、個別のハードウェアコンポーネントあるいはここに記載された機能を行なうことを指向した任意の適切な組合せとして具体化することができる。アンテナ１７０は、複数入力／複数出力（ＭＩＭＯ）通信のための複数のアンテナを含むことができる。
【００２６】
ユーザ設備１００およびそれのコンポーネントは、バッテリー１８０および／または外部電源によって動力が供給される。バッテリー１８０は、エネルギーを格納する任意の装に置、具体的には、化学エネルギーを蓄えし、電気エネルギーとしてそれを供給する任意の装置になりえる。バッテリー１８０は、リチウムポリマー電池、リチウムイオン電池、ニッケル水素電池、あるいはニッケルカドミウム電池を含む１つ以上の二次電池、あるいはアルカリ電池、リチウム電池、酸化銀バッテリーあるいは亜鉛炭素電池を含む１つ以上の一次電池を含むことができる。外部電源は壁ソケット、自動車のシガライタレセプタクル、無線エネルギー転送プラットフォーム、あるいは太陽を含むことができる。
【００２７】
いくつかの実施例では、バッテリー１８０あるいはそれの一部分は、パワーインタフェース１９０によって外部電源によって再充電可能である。パワーインタフェース１９０は、電池充電器を接続するためのジャック、近い場の無線エネルギー転送のインダクタ、あるいは太陽エネルギーを電気エネルギーに変換するための光起電力パネルを含むことができる。
【００２８】
例えばいくつかの実施例では、ユーザ設備１００が、個人用情報端末（ｐｅｒｓｏｎａｌ  ｄａｔａ  ａｓｓｉｓｔａｎｔ：ＰＤＡ）、ハンドヘルドコンピュータ、ラップトップコンピュータ、タブレット、無線データアクセスカード、ＧＰＳ受信機／ナビゲーター、カメラ、ＭＰ３プレイヤ、カムコーダー、ゲームコンソール、腕時計、置時計、あるいはテレビであるが、それらに限定されない。
【００２９】
基地局２００は、さらにメモリ２２０およびトランシーバ２６０につながれた少なくとも１つのプロセッサ（「ＣＰＵ」）２１０を含む。トランシーバ２６０は送信器２６２、およびアンテナ２７０につながれた受信機２６４を含んでいる。ユーザ設備１００に関して上に記述されるようにプロセッサ２１０、メモリ２２０、トランシーバ２６０およびアンテナ２７０は具体化することができる。
【００３０】
図２を参照して、セルラーネットワーク２０の１つの実施例は、少なくとも、第１のカバー範囲２９０を有する第１の基地局２００、および第２のカバー範囲２９１を持つ第２の基地局２０１を含む。図２において、ユーザ設備１００は、第１のカバー範囲２９０、および第２のカバー範囲２９１の境界の近くに置かれている。したがって、ある場合には、その位置での無線カバー範囲は弱いか、あるいは強くはない。しかしながら、ユーザ設備１００は、また、第３のカバー範囲３１を有する第３の基地局３０の近くに置かれている。１つの実施例において、第１の基地局２００および第２の基地局２０１は、マクロノードＢ（Ｍａｃｒｏ  ＮｏｄｅＢ）のようなマクロ基地局であり、また第３の基地局３０は、ホームノードＢ（Ｈｏｍｅ  ＮｏｄｅＢ）のような小さなカバー範囲の基地局である。第３の基地局３０は、プロセッサ２１０、メモリ２２０、およびトランシーバ２６０を含み、第１の基地局２００に関して記載された要素を含み得る。
【００３１】
ＵＴＲＡＮ／ＵＭＴＳネットワークにおいて、ユーザ設備（ＵＥ）は、より強いかより強健なカバー範囲が受けられるホームノードＢ（Ｈｏｍｅ  ＮｏｄｅＢ：ＨＮＢ）に接近する場合に、マクロノードＢ（Ｍａｃｒｏ  ＮｏｄｅＢ：ＭＮＢ）の上でとどまるアイドルモードであり得る。ＭＮＢからＨＮＢへの交換の処理はＨＮＢ発見と呼ばれる。いくつかの実施例では、多数の周波数はネットワークにおいて利用可能である。１つの実施例では、ＵＥは、第１の周波数でＭＮＢの上でとどまり、また、ＨＮＢは第２の周波数で動作し得る。ＵＥが、合理的によいマクロのカバー範囲内にあれば、例えば、ＭＮＢ信号品質が検索と再選択を引き起こすのに必要なしきい値以上にあれば、ＵＥはＭＮＢの上でとどまって残り、けっして潜在的により望ましいＨＮＢを発見しない。
【００３２】
ＨＮＢ発見問題を扱うためにビーコン伝送に基づいたシステムと方法がここに記述される。１つの実施例では、ＨＮＢは、すべてのマクロの周波数上のビーコンを送信する。別の実施例において、ＨＮＢは、１つだけの周波数上で送信し、あるいは多くの周波数上で送信するが、全くマクロの周波数ではない。１つの実施例において、ＨＮＢによるビーコン送信はＵＥで検索および再選択処理をトリガーし、そのためにＨＮＢの発見を促進する。別の実施例では、ビーコンは情報を伝える、それはＵＥがビーコンが送信されるもの以外の周波数上のＨＮＢを発見することを可能にする。
【００３３】
ＵＥがマクロＮＢと通信する周波数上のビーコン送信は、少なくとも部分的にＨＮＢ発見問題を扱う一方、それは、さらに、マクロＮＢによって活性状態のコールにあるＵＥへの望まれない干渉を引き起こし得る。ビーコンは、ＵＥに対して最小の望まれない干渉あるいは、望まれない干渉が無いことを達成する間に早期にＨＮＢ発見を扱うように設計され得る。ＨＮＢ発見および干渉問題を扱うビーコン設計はここに記載される。更に、許可されていないＵＥへの干渉を緩和する他の干渉管理技術は記載される。
【００３４】
図３を参照して、ビーコン送信の方法５１０の１つの実施例が記記載される。方法５１０は、例えば、図２のＨＮＢ３０によって実行されることができる。方法５１０は、１つ以上の無線通信デバイスが第１のセルと通信する少なくとも１つの第１の周波数の決定をブロック５１１もいて始める。決定は、潜在的にメモリ２２０と関連して、例えばプロセッサ２１０によって実行され得る。例えば、１つの実施例において、図２のＨＮＢ３０は、ＵＥがマクロＮＢで送信しているマクロの周波数を決定する。決定は、ＵＥがいつマクロＮＢを再び得るような時に、例えば、進行中の通信の周波数の測定により実行され得る。決定、また、メモリに格納された１つ以上の周波数へのアクセスにより実行され得る。１つの実施例において、１つを超える周波数は決定される。１つの実施例では、全てのマクロの周波数は決定される。
【００３５】
別の実施例において、方法５１０は、特有のセルとの通信のために指示されない通信ネットワーク上の通信を通して通信に対して指定された第１の周波数の決定をブロック５１１において始める。例えば、１つの実施例において、ＨＮＢ３０は、ＨＮＢ３０との通信のために指示されないセルラーネットワーク２０上の通信として指定された周波数を決定する。したがって、１つ以上の無線通信デバイスが第１のセルと通信する周波数の決定は、第１のセルとの通信の測定や明示的な知識を要求せずに、受け身的に実行され得る。
【００３６】
次に、方法５１０は、干渉ビーコンが第１の周波数で送信されるブロック５１２に継続する。その送信は、例えば、１つ以上のアンテナ２７０上のトランシーバ２６０によって実行され得る。上で言及されるように、１つの実施例において、１つを超える周波数が決定される。そのような実施例において、干渉ビーコンは決定された周波数の各々で送信され得る。同様に、１つの実施例において、全てのマクロの周波数は決定され、また、干渉ビーコンは各々のマクロの周波数で送信される。干渉ビーコンは、そのうちにあるいは異なる時にオーバーラップして、多数の周波数で同時に送信されることができる。
【００３７】
１つの実施例において、干渉ビーコンは、無線通信デバイスによって測定された信号品質が前もって決められたしきい値未満であるように送信される。１つの実施例において、干渉ビーコンは、無線通信デバイスが第１のセルを再び得るための期待時間とほぼ等しく持続する。
【００３８】
１つの実施例では、干渉ビーコンは、Ｐ−ＳＣＨ（主要な同期化チャネル（Ｐｒｉｍａｒｙ  Ｓｙｎｃｈｒｏｎｉｚａｔｉｏｎ  Ｃｈａｎｎｅｌ））、Ｓ−ＳＣＨ（従属的な同期化チャネル（Ｓｅｃｏｎｄａｒｙ  Ｓｙｎｃｈｒｏｎｉｚａｔｉｏｎ  Ｃｈａｎｎｅｌ）、ＰＣＣＰＣＨ（主要な共通制御物理チャネル（Ｐｒｉｍａｒｙ  Ｃｏｍｍｏｎ  Ｃｏｎｔｒｏｌ  Ｐｈｙｓｉｃａｌ  Ｃｈａｎｎｅｌ）、ＢＣＣＨ（ブロードキャスト制御チャネル（Ｂｒｏａｄｃａｓｔ  Ｃｏｎｔｒｏ  Ｃｈａｎｎｅｌ）、ＰＩＣＨ（ページング指標チャネル（Ｐａｓｉｎｇ  Ｉｎｄｃａｔｏｒ  Ｃｈａｎｎｅｌ）、ＰＣＨ（ページングチャネル（Ｐａｓｉｎｇ  Ｃｈａｎｎｅｌ））、およびＰＣ−ＰＩＣＨ（主要な共通プロットチャネル（Ｐｒｉｍａｒｙ  Ｃｏｍｍｏｎ  Ｐｉｌｏｔ  Ｃｈａｎｎｅｌ））のような１つ以上のＵＭＴＳ（ユニバーサル・モービル・テレコミュニケーションシステム）のオーバヘッドチャネルを含む。数人のＰＳＣ（主要な同期化コード（Ｐｒｉｍａｒｙ  Ｓｙｎｃｈｒｏｎｉｚａｔｉｏｎ  Ｃｏｄｅｓ）がビーコン送信を指定されても、指定されなくなくてもよい。マクロの周波数上のビーコン送信が実際のＰＳＣに関係し、ここにＨＮＢ−ビーコンと呼ばれ得る。ＨＮＢ−ビーコンを受信するＵＥ３０は、ビーコンが送信された周波数での通信用のためのセルをそれが表わすと誤って信じ得る。ＨＮＢ３０が、ビーコンが送信された周波数で通信のために構成されないので、これは想像上のセルと呼ばれる。そのような想像上のセルは、ＨＮＢ３０とはそれ自体異なり、それは異なる周波数での通信のために構成される。
【００３９】
１つの実施例において、ＨＮＢ−ビーコンは、妨げられる（ｂａｒｒｅｄ）／確保される／将来のユーザの状態のために確保されるセルにセットされたセルアクセス制限状態を有している。更に、１つの実施例では、イントラ周波数セル再選択指標（ここで適用可能）は「許可される」にセットされる。
【００４０】
ほとんどの場合、ブロック５１１および５１２に関して記述されたステップの実行は、少なくとも図４に関して下記に述べられるようなセルサーチ処理を行なうために無線通信デバイスをトリガーするだろう。いくつかの実施例では、それは、セル再選択処理を実行するように無線通信デバイスをトリガーし得る。他の実施例において、追加のビーコン（あるいはブロック５１２の反復）の送信は、セル再選択処理をトリガーするために実行され得る。
【００４１】
図４を参照して、セル再選択の方法５２０は記載される。方法５２０は以下に３回記載される。第１に、方法５２０は、一般的に、基地局２００上でとどまる間に、例えば、ＵＥ１００によって実行され得るように記載される。次に、方法５２０、ＨＮＢ３０の近辺にいる間に、基地局２００にとどまる間に例えばＵＥ１００によって実行され得るように記載される。最後に、例えば、ＣＳＧ（閉じたシステムグループ（Ｃｌｏｓｅｄ  Ｓｙｓｔｅｍ  Ｇｒｏｕｐ））イネーブルＵＥ１００あるいはＣＳＧの知っているＵＥ１００によって実行されるように記載される。
【００４２】
１つの実施例では、処理５２０は、すべてのＤＲＸ（不連続の受信（Ｄｉｓｃｏｎｔｉｎｕｏｕｓ  Ｒｅｃｅｐｔｉｏｎ））サイクルのように、周期的に実行される。処理５２０は、ブロック５２１で、ＵＥ１００が基地局２００の信号品質を測定することから開始する。１つの実施例において、測定された信号品質はＣＰＩＣＨ（共通のパイロットチャネル（Ｃｏｍｍｏｎ  Ｐｉｌｏｔ  Ｃｈａｎｎｅｌ））Ｅｃ／Ｎｏである。１つの実施例において、測定された信号品質は、マクロＮＢの合計の受信スペクトル密度に対する受信パイロットエネルギーの比率である。別の実施例において、測定された信号品質はＲＳＣＰ（受信信号コードパワー（Ｒｅｃｅｉｖｅｄ  Ｓｉｇｎａｌ  Ｃｏｄｅ  Ｐｏｗｅｒ））である。
【００４３】
次に、ブロック５２２において、ＵＥ１００は、信号品質が前もって定義したしきい値未満かどうか判断する。１つの実施例において、信号品質は、イントラ周波数しきい値および周波数間しきい値と比較される。１つの実施例では、Ｓｑｕａｌ＝Ｑｑｕａｌｍｅａｓ−Ｑｑｕａｌｍｉｎが現在のサービスを行うセルの品質の必要量で、Ｓｉｎｔｒａｓｅａｒｃｈはイントラ周波数しきい値であり、Ｓｉｎｔｅｒｓｅａｒｃｈは周波数間しきい値であり、Ｑｑｕａｌｍｅａｓはブロック３１０に測定された信号品質であり、Ｑｑｕａｌｍｉｎは最小の必要とされる信号品質であり、Ｓｑｕａｌ＜ＳｉｎｔｒａｓｅａｒｃｈあるいはＳｑｕａｌ＜Ｓｉｎｔｅｒｓｅａｒｃｈの場合に、信号品質が前もって決定されたしきい値未満であることが決定される。
【００４４】
信号品質は、前もって定義したしきい値以上であることが決定される場合、処理５２０は、次のＤＲＸサイクルで、終了するかあるいは、ブロック５２１に戻る。信号品質は前もって決定されたしきい値未満であることが決定された場合、処理５２０は、ＵＥ１００が近隣のセルの信号品質を測定するブロック５２３に継続する。１つの実施例では、ＵＥ１００は、さらに、適応性について各セルをチェックする。１つの実施例では、近隣のセルの測定された信号品質がＱｑｕａｌｍｉｎ＋Ｐｃｏｍｐｅｎｓａｔｉｏｎより大きい場合、近隣のセルは適応可能である。１つの実施例では、Ｐｃｏｍｐｅｎｓａｔｉｏｎは０にセットされる。他の実施例では、Ｐｃｏｍｐｅｎｓａｔｉｏｎが正または負の数である。
【００４５】
処理５２０は、セルがランク付けされるブロック５２４に継続する。１つの実施例では、セルはそれらの測定された信号品質によってランク付けされる。別の実施例において、セルは、引き数として測定された信号品質を含んでいてもよいし、含んでいなくてもよい費用関数によってランク付けされる。セルは、図１のＵＥ１００のメモリ１２０におけるリストに格納され、当業者に知られている多くのソート方法の任意のものに従ってソートされる。
【００４６】
ブロック５２５に継続して、最も高くランク付けされたセルが選択される。１つの実施例では、ＵＥ１００は、最も高くランク付けされたセルがＴｒｅｓｅｌｅｃｔｉｏｎの時間間隔の間サービスをするセルよりもよいかどうかチェックする。最も高くランク付けされた近隣のセルは、近隣のセルの測定された信号品質が、サービスをするセルの測定された信号品質より高い場合にサービスをするセルよりよいと決定される。
【００４７】
処理５２０は、ＵＥ１００が最も高くランク付けされたセルのＳＩＢ（システム情報ブロック（ｓｙｓｔｅｍ  ｉｎｆｏｒｍａｔｉｏｎ  ｂｌｏｃｋ））を読み、最も高い並べられたセルのＳＩＢを読むことにより決定されるように、とどまることについての適応性基準をチェックするブロック５２６に継続する。１つの実施例では、新しいセルの所在地域が以前に貢献するセルとは異なる場合、ＵＥ１００は、新しく選択されたセルへ所在地域更新（Ｌｏｃａｔｉｏｎ  Ａｒｅａ  Ｕｐｄａｔｅ：ＬＡＵ）メッセージを送信する。
【００４８】
「所在地域」は、シグナリングを改善するか最適化するために共にグループ化される１組の基地局である。何十あるいは何百もの基地局が、ＧＳＭ（登録商標）において基地局コントローラ（Ｂａｓｅ  Ｓｔａｔｉｏｎ  Ｃｏｎｔｒｏｌｌｅｒ：ＢＳＣ）を名付けられ、ＵＭＴＳにおいてラジオネットワークコントローラ（Ｒａｄｉｏ  Ｎｅｔｗｏｒｋ  Ｃｏｎｔｒｏｌｌｅｒ：ＲＮＣ）と名付けられた一つのコントローラを共有する。１つの実施例において、コントローラは、ラジオチャネル割当てを扱い、ＵＥから測定を受信し、基地局から基地局へのハンドオーバをコントロールする。各所在地域は、「所在地域コード」（ｌｏｃａｔｉｏｎ  ａｒｅａ  ｃｏｄｅ：ＬＡＣ）と呼ばれる固有番号に関係している。１つの実施例において、ＬＡＣは一定間隔でのノードＢによってブロードキャストされる。位置更新処理は、それが１つの所在地域から次のものまで移る場合はいつもモバイル装置がセルラーネットワークに通知することを可能にする。
【００４９】
ＬＡＵメッセージの受信を示すＬＡＵ受信メッセージを受信すると、手順は新しく選択されたセル経由で続く。他方では、ＬＡＵの拒絶を示すＬＡＵ拒絶メッセージを受信すると、ＵＥ１００は以下のことを実行し、ａ）ＵＥ１００は、禁じられたＬＡＣのリストに新しいセルの所在地域コード（Ｌｏｃａｔｉｏｎ  Ａｒｅａ  Ｃｏｄｅ：ＬＡＣ）を加え、ｂ）ＵＥ１００は「許可されないローミング」に内部状態をセットし、およびｃ）格納される情報セル選択は、適切なセルを見つけるために実行される。次のＤＲＸサイクルにおいて、最も高くランク付けされたセルが禁じられたＬＡＣのＵＥリスト上にある場合、周波数が３００秒まで禁止され得る。
【００５０】
図４の方法５２０は、一般的に上に記載されたが、方法５２０を実行する結果は近くのセルの近辺および信号パワーに依存することを変え得る。図２に例例示された１つの実施例において、ＵＥ１００は、基地局２００にとどまされるが、ＵＥ１００が第３の基地局（ＨＮＢ）３０のような異なるセル経由でネットワークに接続することはより望ましい。ＨＮＢ３０が図３に従って１つ以上のビーコンを送信する場合、図４の結果は、恐らく、ＵＥ１００が以下に述べられるようなＨＮＢ３０を再選択するということだろう。
【００５１】
ＵＥ１００がＵＥの近くにある場合、処理５２０は、ＵＥ１００がブロック５２１において基地局２００の信号品質を測定することを開始する。上に言及されるように、１つの実施例において、測定された信号品質は、ＣＰＩＣＨ（共通パイロットチャネル（Ｃｏｍｍｏｎ  Ｐｉｌｏｔ  Ｃｈａｎｎｅｌ）Ｅｃ／Ｎｏである。１つの実施例において、測定された信号品質は、マクロＮＢ２００の合計の受信スペクトル密度に対する受信パイロットエネルギーの比率である。別の実施例において、測定された信号品質はＲＳＣＰ（受信信号コードパワー（Ｒｅｃｅｉｖｅｄ  Ｓｉｇｎａｌ  Ｃｏｄｅ  Ｐｏｗｅｒ））である。
【００５２】
次に、ブロック５２２において、ＵＥ１００は、信号品質が前もって決定されたしきい値未満かどうか決定する。１つの実施例において、信号品質はイントラ周波数しきい値および周波数間しきい値と比較される。１つの実施例において、Ｓｑｕａｌ＜ＳｉｎｔｒａｓｅａｒｃｈあるいはＳｑｕａｌ＜Ｓｉｎｔｅｒｓｅａｒｃｈの場合、信号品質が前もって決定されたしきい値未満であることが決定される
ＨＮＢ３０は、ＵＥ１００が基地局２００で通信している１つ以上の周波数で干渉ビーコンを送信しているので、マクロＮＢ２００の信号品質は下げられ、マクロＮＢの測定された信号品質は前もって決定されたしきい値未満になり、また、方法５２０はブロック５２３に続くだろう。１つの実施例の中で、測定された信号品質がＳｉｎｔｅｒｓｅａｒｃｈ未満である場合、セルサーチ手順が行なわれる。測定された信号品質がＳｉｎｔｒａｓｅａｒｃｈ未満である場合、ＵＥ１００はＨＮＢビーコンからオーバヘッドメッセージを読み、また、セル制限アクセスＩＥ（情報要素）が「妨げられる」にセットされるので、ＵＥ１００は、Ｔｂａｒｒｅｄの間にＨＮＢビーコンを妨げる。これは、ＵＥ１００がＨＮＢビーコンによって表わされる想像上のセルを再選択することを試みるのを防ぐ。
【００５３】
次に、ブロック５２３では、ＵＥ１００は、近隣のセルの信号品質を測定する。１つの実施例では、ＵＥ１００は、さらに適応性があるか各セルをチェックする。１つの実施例において、近隣のセルの測定された信号品質がＱｑｕａｌｍｉｎ＋Ｐｃｏｍｐｅｎｓａｔｉｏｎより大きい場合、近隣のセルは適切である。
【００５４】
処理５２０は、セル（それが「妨げられる」ように、ＨＮＢ−ビーコンによって表わされる想像上のセルを除いて）がランク付けされるブロック５２４に継続する。１つの実施例では、セルはそれらの測定された信号品質によって並べられる。別の実施例において、セルは、引き数として測定された信号品質を含んでいてもよいし、含んでいなくてもよい費用関数によってランケ付けされる。例えば、１つの実施例において、サービスをするセルについてランク付けするメトリックはヒステリシスオフセットを足した測定された信号品質であるが、近隣のセルについてのランク付けのメトリックは、スイッチングオフセットを引いた測定された信号品質である。個々の近隣のセルについてのヒステリシスオフセットおよびスイッチングオフセットは、サービスをするセルのダウンリンク上で送られ得る。１つの実施例において、それらのパラメータは、バイアスはＨＮＢにスイッチングを促進するようバイアスがかけられる。
【００５５】
ブロック５２５に継続して、最も高いランクのセルが選択さる。１つの実施例では、ＵＥ１００は、最も高いランクのセルがＴｒｅｓｅｌｅｃｔｉｏｎの時間間隔の間サーブするセルよりよいかどうかチェックする。最も高くランク付けされた近隣のセルは、近隣のセルの測定された信号品質がサービスをするセルの測定された信号品質より高い場合に、サービスをするセルより良いと決定され得る。ＵＥ１００がＨＮＢ３０の近くにあるので、ＨＮＢ３０は恐らく最も高くランク付けされたセルになるだろう。
【００５６】
処理５２０は、ＵＥ１００がＨＮＢ３０のＳＩＢ（システム情報ブロック）を読み、ＨＮＢ３０のＳＩＢを読むことにより決定されるように、とどまることの適応性基準をチェックするブロック５２６に継続する。１つの実施例において、ＨＮＢ３０の所在地域が、以前のサービスをするセルとは異なる場合、ＵＥ１００は、ＨＮＢ３０へＬＡＵメッセージを送信する。
【００５７】
ＬＡＵの受信を示すＬＡＵ受信メッセージを受信するとすぐに、ＬＡＵ手順はＨＮＢ  ３０によって継続する。他方では、ＵＥ１００がＨＮＢ３０の上にとどまることを認められないため生じ得る、ＬＡＵの拒絶を示すＬＡＵ拒絶メッセージを受信するとすぐに、ＵＥ１００がＨＮＢ３０の上にとどまることを認められないのでそれが生じ得ると、ＵＥ１００は下記のことを実行する。ａ）ＵＥ１００は、禁じられたＬＡＣのリストにＨＮＢ３０の所在地域コード（Ｌｏｃａｔｉｏｎ  Ａｒｅａ  Ｃｏｄｅ：ＬＡＣ）を加え、ｂ）ＵＥ１００は、「許可されないローミング」に内部状態をセットし、およびｃ）格納された情報セル選択は、適切なセルを見つけるために実行される。次のＤＲＸサイクルにおいて、ＨＮＢ３０が禁じられたＬＡＣのＵＥのリスト上にある場合に、周波数は３００秒以内の間禁止され得る。
【００５８】
上に言及されるように、図４の方法５２０を実行する結果は、近くのセルの近さおよび信号パワーに依存して変化し得る。さらに、結果は、ＵＥ１００がＣＳＧ（閉じた加入者グループ（Ｃｌｏｓｅｄ  Ｓｕｂｓｃｒｉｂｅｒ  Ｇｒｏｕｐ）が実行可能あるいは知っているどうかに依存して変わってもよい。図２に例示された１つの実施例において、ＵＥ１００は基地局２００にとどませられるが、ＵＥ１００が第３の基地局（ＨＮＢ）３０のような異なるセル経由でネットワークに接続することはより望ましい。ＨＮＢ３０は、ＨＮＢビーコンがＨＮＢ３０と同じセル識別を持っている図３に従って１つ以上のビーコンを送信すする場合、図４の結果は、恐らく、ＵＥ１００が下記に述べられるようにＨＮＢ３０を再選択するということだろう。
【００５９】
ＣＳＧの知っているＵＥ１００がＵＥ１００の近くにある場合、処理５２０は、上記のように、ＵＥ１００が、ブロック５２１において、基地局２００の信号品質を測定することを開始する。上で言及されるように、１つの実施例において、測定された信号品質はＣＰＩＣＨ（共通のパイロットチャネル）Ｅｃ／Ｎｏである。１つの実施例において、測定された信号品質は、マクロＮＢの合計の受信スペクトル密度に対する受信パイロットエネルギーの比率である。別の実施例では、測定された信号品質はＲＳＣＰ（受信信号コードパワー）である。
【００６０】
次に、ブロック５２２において、ＵＥ１００は、信号品質が前もって決定されたしきい値未満かどうか判断する。１つの実施例において、信号品質は、イントラ周波数しきい値および周波数間しきい値と比較される。１つの実施例において、Ｓｑｕａｌ＜ＳｉｎｔｒａｓｅａｒｃｈあるいはＳｑｕａｌ＜Ｓｉｎｔｅｒｓｅａｒｃｈの場合、信号品質が前もって定義したしきい値未満であると決定される。
【００６１】
ＨＮＢ３０は、ＵＥ１００が基地局２００で通信している１つ以上の周波数で干渉ビーコンを送信しているので、マクロＮＢ２００の信号品質は下げられ、マクロＮＢ２００の測定された信号品質は前もって決定されたしきい値未満になり、また、方法５２０はブロック５２３に継続するだろう。１つの実施例において測定された信号品質がＳｉｎｔｅｒｓｅａｒｃｈまたはＳｉｎｔｒａｓｅａｒｃｈ未満である場合、セルサーチ手順は実行される。
【００６２】
次に、ブロック５２３で、ＵＥ１００は、近隣のセルの信号品質を測定する。１つの実施例において、ＵＥ１００は、さらに適応性があるか各セルをチェックする。１つの実施例において、近隣のセルの測定された信号品質がＱｑｕａｌｍｉｎ＋Ｐｃｏｍｐｅｎｓａｔｉｏｎより大きい場合、近隣のセルは適切である。
【００６３】
処理５２０は、セル（ＨＮＢ３０と同じセル識別を有するＨＮＢビーコンに関連した想像上のセルを含む）がランク付けされるブロック５２４に継続する。１つの実施例において、セルはそれらの測定された信号品質によってランク付けされる。別の実施例において、セルは、引き数として測定された信号品質を含んでいてもよいし、含んでいなくてもよい費用関数によってランク付けされる。例えば、１つの実施例において、サービスをするセルについてのランク付けのメトリックはヒステリシスオフセットと測定された信号品質であるが、近隣のセルについてのランク付けのメトリックは、スイッチングオフセットを引いた測定された信号品質である。個々の近隣のセルのヒステリシスオフセットおよびスイッチングオフセットは、サービスをするセルのダウンリンク上で送られ得る。１つの実施例において、パラメータは、バイアスはＨＮＢへのスイッチンを促進するようにバイアスがかけられる。
【００６４】
継続して、ブロック５２５では、最も高いランキングのセルが選択される。１つの実施例では、ＵＥ１００は、最も高くランク付けされたセルがＴｒｅｓｅｌｅｃｔｉｏｎの時間間隔の間にサービスをするセルよりよいかどうかチェックする。最も高くランク付けされた近隣のセルは、近隣のセルの測定された信号品質がサービスをするセルの測定された信号品質より高い場合に、サービスをするセルより良いと決定され得る。ＵＥ１００がＨＮＢ３０の近くにあるので、ＨＮＢ３０あるいはＨＮＢ−ビーコンは、たぶん、最も高くランク付けされたセルによってなされる。
【００６５】
相互周波数サーチがトリガーされる場合において、処理５２０が、ＵＥ１００がＨＮＢ  ３０のＳＩＢ（システム情報ブロック）を読み、ＨＮＢ３０のＳＩＢを読むことにより決定されるように、とどまることの適応性基準をチェックするブロック５２６に継続する。ＵＥ１００がＨＮＢ３０の上で許可されない場合、１つの実施例において、ＵＥ１００はブロック５２１に返って、再選択手順を中止し、サービスをするセル上にとどまることを継続する。ＵＥ１００がＨＮＢ３０の上で許可される場合、ＨＮＢ３０の所在地域が以前にサービスをするセルとは異なる場合、ＵＥ１００はＨＮＢ３０へＬＡＵメッセージを送信する。ＬＡＵの受信を示すＬＡＵ受信メッセージを受信するとすぐに、ＬＡＵ手順は、ＨＮＢ３０によって継続する。
【００６６】
相互周波数サーチはトリガーされないが、イントラ周波数サーチはトリガーされる場合では、ＵＥ１００は、ＨＮＢ−ビーコンのＳＩＢを読む。１つの実施例において、ＨＮＢビーコンセルアクセス制限は、「将来の使用のために確保される」にセットされ、また、ＣＳＧ予約情報ビットは、「真」にセットされる。従って、セルアクセス状態およびＣＳＧ予約情報ビットを得る際に、ＵＥ  １００は、あたかもＨＮＢ−ビーコンセル状態が「確保されていない」として示されるかのように振る舞う。したがって、ＵＥ１００は、ＨＮＢビーコンのＳＩＢから読まれるようなＨＮＢ−ビーコン（ＨＮＢ３０と同じセル識別を持って）に関連した想像上のセル上にとどまることの適応性基準をチェックする。１つの実施例では、ＵＥ１００は、さらにＵＥ１００がホワイトリストにあるかどうか判断するためにアクセスコントロールを実行する。
【００６７】
ＵＥ１００がＨＮＢ３０の上で許可されない場合、ＵＥ１００はブロック５２１に返る。ＵＥがＨＮＢ３０の上で許可される場合、ＵＥ１００は、ＨＮＢビーコンに関連した想像上のセルを再選択するが、ＬＡＩ（所在地域識別（Ｌｏｃａｔｉｏｎ  Ａｒｅａ  Ｉｄｅｎｔｉｆｉｅｒ））が以前にサービスをするマクロＮＢのそれと同じであるので、ＬＡＵメッセージを送信しない。ＵＥ１００はＳｉｎｔｅｒｓｅａｒｃｈ、Ｑｑｕａｌｍｉｎ、ヒステリシスオフセットを変更し、および再選択オフセットは、ｉ）ＵＥ１００が、周波数サーチ間のすべてのＤＲＸサイクルを実行し、およびｉｉ）セルランキングは、異なる周波数上のＨＮＢ３０の方へバイアスがかけられる。したがって、ブロック５２１に返って、次のＤＲＸサイクルに、ＵＥ１００はＨＮＢ３０を再選択し、ＨＮＢ３０へＬＡＵメッセージを送信し、ＬＡＵの受信を示すＬＡＵ受信メッセージを受信する際、ＨＮＢ３０を備えたＬＡＵ手順を継続する。
【００６８】
上に記述されるように、１つの実施例において、ビーコンは近くの無線通信デバイスによる検索と再選択の手順をトリガーするために、セルによって送信される。１つの実施例では、ＨＮＢは、近くのマクロＮＢによって使用される多くの周波数上のビーコンを送信する。ＵＥは、マクロＮＢ（ｆ２、ｆ３、…、ｆｎのうちの１つの上の）の上でとどまることは、ＨＮＢ（ｆ１上の）に接近する、ビーコン（ｆ２、ｆ３、…、ｆｎで）は、ＵＥによって測定されるようなマクロＮＢの信号品質の干渉および低下を引き起こすだろう。サービスをするマクロＮＢの測定された信号品質が、Ｓｉｎｔｅｒｓｅａｒｃｈしきい値かＳｉｎｔｒａｓｅａｒｃｈしきい値のような前もって決定されたしきい値以下に落ちる時に、ＵＥはセルサーチと再選択の手順を始める。
【００６９】
ＨＮＢ発見問題を扱うために近くのマクロＮＢによって使用される周波数上のビーコン送信を使用することができるが、ビーコンはマクロＮＢがサービスをされるネットワーク上の活性なコールにある近くの許可されていないＵＥへの干渉を引き起こし得る。その干渉はダウンリンクの音声のアーティファクト、無線リンク失敗（ｒａｄｉｏ  ｌｉｎｋ  ｆａｉｌｕｒｅ：ＲＬＦ）、マクロの容量インパクトあるいは他の問題を引き起こし得る。したがって、ビーコンの注意深い設計は、近くの許可されていないＵＥへの最小の干渉または干渉が無いことを達成する間にＨＮＢ発見を速く可能にするために望ましい。
【００７０】
従って、好ましいビーコン設計は、ＨＮＢ発見時間を最小化し、近くの許可されていないＵＥに対して引き起こされた干渉を最小化する。ビーコン設計の様々な実施例は、許可されていないＵＥのＵＥ発見時間および干渉の点からそれらの性能と共に下記に記載されている。
【００７１】
１つの実施例において、ビーコンは標準ＵＭＴＳオーバヘッドチャネルを含む。ビーコンは、特にＰＳＣＨ（主要な同期化チャネル（Ｐｒｉｍａｒｙ  Ｓｙｎｃｈｒｏｎｉｚａｔｉｏｎ  Ｃｈａｎｎｅｌ））、ＳＳＣＨ（従属的な同期化チャネル（Ｓｅｃｏｎｄａｒｙ  Ｓｙｎｃｈｒｏｎｉｚａｔｉｏｎ  Ｃｈａｎｎｅｌ））、Ｐ−ＣＰＩＣＨ（主要な共通パイロットチャネル（Ｐｒｉｍａｒｙ  Ｃｏｍｍｏｎ  Ｐｉｌｏｔ  Ｃｈａｎｎｅｌ）、Ｓ−ＣＰＩＣＨ（従属的な共通パイロットチャネル（Ｓｅｃｏｎｄａｒｙ  Ｃｏｍｍｏｎ  Ｐｉｌｏｔ  Ｃｈａｎｎｅｌ）、ＰＣＣＰＣＨ（主要な共通パイロットチャネル（Ｐｒｉｍａｒｙ  Ｃｏｍｍｏｎ  Ｃｏｎｔｒｏｌ  Ｐｈｙｓｉｃａｌ  Ｃｈａｎｎｅｌ））、ＳＣＣＰＣＨ（従属的な共通パイロットチャネル（（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ））およびＰＩＣＨ（ページング指標器チャネル（Ｐａｇｉｎｇ  Ｉｎｄｉｃａｔｏｒ  Ｃｈａｎｎｅｌ））の１つ以上を含み得る。個別のＰＳＣ（主要な同期化コード（Ｐｒｉｍａｒｙ  Ｓｙｎｃｈｒｏｎｉｚａｔｉｏｎ  Ｃｏｄｅ））はＰ−ＣＰＩＣＨによって割り付けられてもよいし、割り付けられなくてもよい。
【００７２】
１つの実施例では、ビーコンは多数の周波数上で送信される。従って、ビーコンは多数の周波数上で、同時に、送信されてもよいし、送信されなくてもよい。１つの実施例において、ビーコンは、多数の周波数上同時に送信されないが、時間的にふらついた周波数ホッピングの仕方で送信される。例えば、ビーコンは、第１の時間の間に第１の周波数で、非オーバーラップ時間の第２の時間の間に第２の周波数で送信され得る。
【００７３】
ビーコンの期間はセットされコントロールされることができる変数である。時々、ビーコンは近くの許可されていないＵＥに対する望まれない干渉を回避するためには送信されなくてもよい。
【００７４】
ビーコンのパワーは、また、セットされコントロールされることができる変数である。ビーコンのパワーは、許可されていないＵＥで最小の干渉を引き起こす間に許可されたＵＥで再選択をトリガーするために、適切なカバー範囲が提供されるようにセットされることができる。上に注意されるように、時々、ビーコン送信は望まれない干渉から活性なコールにおける近くのＵＥを保護するために一時的に止められ得る。
【００７５】
多数の周波数でのビーコン生成の一例は下記に述べられる。以下の例において、Ｎｆｒｅｑは、ビーコンが送信される周波数の数であり、Ｐｆは、ｄＢの単位ΔｉにおけるＨＮＢの動作周波数上のＤＬオーバヘッドチャネルのパワーレベルであり、Δｉ（但し、ｉ＝１、２、…ｋ）は、各ビーコンが、ｋ個のパワーレベルＰｆ＋Δｉ（但し、ｉ＝１、２、…ｋ）であり、の１つで送信されるようなＨＮＢ動作周波数上のＨＭＢＰ−ＣＨＩＣＨに関係するｋ個の異なるパワーレベルオフセットであり、ＢＴＤｉ（但し、ｉ＝１、２、…ｋ）は、電力レベルオフセットΔｉで送信する時にある周波数上のビーコン送信の期間である。
【００７６】
図５を参照すると、時間と多数の周波数にわたるビーコン送信のプロッは、上記変数の使用法を例証する。図５に示されるように、ビーコンパワーおよび持続は、高パワーレベルおよび低パワーレベルを含む時間にわたっておよび周波数を横切って変わり得る。更に、ビーコン伝送に使用されたＰＳＣは、また、周波数と時間を横切り得る。
【００７７】
図５は、Δ１の電力レベルがある、多くの後のビーコンと同様にΔ２の電力レベルがある周波数１で送信されている第１のビーコンを特に示す。周波数２で、多くのビーコンは、ＢＴＤ２の持続期間を有するビーコン、およびＢＴＤ１の持続期間を有するビーコンを含めて送信される。図５は、また、ビーコンが多数の周波数で同時に放射されないビーコン送信の例を示す。特に、図５において、周波数１で送信されたビーコンは、周波数２２で送信されたものと異なる時に送信される。
【００７８】
上記の記述された変数を変えることに加えて、ビーコン伝送も、近くのＵＥのＩＭＳＩ（国際的なモバイル加入者識別（ｉｎｔｅｒｎａｔｉｏｎａｌ  ｍｏｂｉｌｅ  Ｓｕｂｓｃｒｉｂｅｒ  Ｉｄｅｎｔｉｔｉｅｓ））あるいは近くのマクロＮＢのＳＦＮ（セルシステムフレーム番号（Ｃｅｌｌ  Ｓｙｓｔｅｍ  Ｆｒａｍｅ  Ｎｕｍｂｅｒｓ））のような他のパラメータについての追加の知識によって影響を受ける場合がある。ＩＭＳＩまたはＳＦＮに加えて固有の名前を使用することができるだろう。
【００７９】
上に記述された変数に基づいて、多くのビーコン送信パターンは実現可能である。少数の例が下に議論されるが、例が徹底的でなく、他の送信パターンも引き出すことができることが認識されるべきである。
【００８０】
ＵＭＴＳ（ユニバーサル・モービル・テレコミュニケーション・システム（Ｕｎｉｖｅｒｓａｌ  ｍｏｂｉｌｅ  Ｔｅｌｅｃｏｍｍｕｎｉｃａｔｉｏｎ  Ｓｙｓｔｅｍ））セルラーネットワークでは、ＵＥはすべてのＤＲＸ（不連続受信（Ｄｉｓｃｏｎｔｉｎｕｏｕｓ  Ｒｅｃｅｐｔｉｏｎ））のサイクルを起こし、サービスをするマクロＮＢの信号品質を測定する。１つの実施例では、ＵＥの合計の受信電力スペクトル密度に対する受信パイロットエネルギーの比率であるＣＰＩＣＨ  Ｅｃ／Ｎｏは測定される。サービスをするセルの信号品質の測定に加えて、ＵＥは、サービスをするマクロＮＢのページング指標チャネル（ｐａｇｉｎｇ  ｉｎｄｉｃａｔｏｒ  ｃｈａｎｎｅｌ：ＰＩＣＨ）上で送られたページング指標（ｐａｇｉｎｇ  ｉｎｄｉｃａｔｏｒ：ＰＩ）を読み出す。それらの覚醒の間に、ＵＥは電力節約モードに置かれる。
【００８１】
サービスをするマクロを再び得るためのＵＥの覚醒は、ページング指標チャネル（ＰＩＣＨ）を通して送られたページング指標（ＰＩ）のタイミングに依存する。サービスをするＮＢからＰＩを読む出すためのＵＥの覚醒は、次の式から与えられる。ＰＩ値＝（ＩＭＳＩ  ｄｉｖ  ８１９２）ｍｏｄ  Ｎｐ；および
【数１】
0005275479.tif 000002
【００８２】
上記の式では、Ｎｐ（サブフレームの数）は１８、３６、７２、あるいは１４４のうちの１つである。サブフレームの長さはＮｐに反比例する。ｑが０とＮｐ−１の間の値をとることができるだけであり、ＳＦＮ、ＩＭＳＩおよびＮｐの関数であることが認識されるだろう。
【００８３】
図６を参照して、Ｎｐが１８であるページング指標チャネルの構造の１つの実施例は記載される。したがって、サブフレームはそれぞれ２８８／１８＝１６ビット長である。ＳＦＮとＩＭＳＩのある値については、ｑは１６に等しくなる。従って、ＵＥは覚醒し、また、１８のサブフレームからの１７番目のサブフレームである、サブフレームＰ１６に対応する時間にＰＩＣＨを読む。１０ミリ秒の各ＰＩＣＨフレームでは、３００ビットを送信することができるかもしれない。図６に例示された実施例を含む１つの実施例では、２８８ビットだけがページング指標を送るために使用される一方、残りの１２ビットは送信されない。これらのビットは後のＵＭＴＳ基準のような他の実施例の中で使用されてもよい。
【００８４】
図７を参照して、ＩＭＳＩが０にセットされ、Ｎｐが１８である、覚醒時間（ｑ）対セル識別（ＳＦＮ）のプロットは示される。最初のＳＦＮ値は、０と４０９５の間で一様に選ばれる。Ｘ軸は、第１のＳＦＮ値の後の１．２８秒ごとに（つまり１２８のＳＦＮ）のＵＥの覚醒を表す。図７から、ｑがのこぎり歯状の振る舞いを有しているが、また、偽似乱数であることは理解され得る。パターンは、０から４０９５までのＳＦＮについて決定的であるように見えない。
【００８５】
ＵＥ識別（ＩＭＳＩ）およびマクロのＮ識別（ＳＦＮ）のＨＮＢで知識に関する３つの異なる仮定に基づいたビーコン送信方法が下に議論される。第１に、方法はＳＦＮとＩＭＳＩがＨＮＢで知られていると仮定して記載される。第２に、方法は、ＳＦＮがＨＮＢで知られているが、ＩＭＳＩが未知である、と仮定して記載される。第３に、方法はＳＦＮとＩＭＳＩが両方ともＨＮＢで未知であると仮定して記載される。
【００８６】
１つの実施例において、ＨＮＢは、近くのＵＥのＩＭＳＩに関する情報、および近くのマクロＮＢのＳＦＮ（およびフレーム境界）に関する情報を有する。上に記述されるように、ＵＭＴＳセルラーネットワークにおいて、ＵＥはすべてのＤＲＸサイクルを立ち上げ、サービスをするクロのＮＢの信号品質（ｓｉｇｎａｌ  ｑｕａｌｉｔｙ：Ｓｑｕａｌ）を測定する。１つの実施例において、サービスをするＮＢの信号品質測定はＰＩＣＨ上のＰＩを読む前に得られる。他の実施例において、サービスをするＮＢの信号品質測定は、ＰＩＣＨ上のＰＩを読む間に、あるいは読んだ後に得られる。図８を参照して、ページング指標チャネルの構造の別の実施例は１０ミリ秒のフレームを含めてＸとマークされた時間で示され、その間に、ＵＥは、サービスをするＮＢの信号品質を測定する。直後に、図８では、ＵＥは、ＰＩＣＨ上のＰＩを読み出す。
【００８７】
１つの実施例において、ｑが０と上記の方程式の中で示されるようなＮｐ−１の間にある場合、ＵＥはｑ×Ｎｐ×１０／３００ミリ秒と等しいｑ＿ｔｉｍｅでサービスをするＮＢからＰＩを読み出す。ＵＥは、信号品質を測定し、かつ（ｑ＿ｔｉｍｅ−Ｘ）ミリ秒でサービスをするＮＢを再び得るために覚醒、Ｘミリ秒で測定し、ここで、ＸはサービスをするＮＢを再び得るための期待時間である、Ｘミリ秒で測定する。
【００８８】
ＨＮＢでのビーコンの送信がＵＥでセルサーチを引き起こすために、サービスをするセルの測定された信号品質は、定義済みのしきい値未満であるに違いなく、また、ＵＥでセル再選択を引き起こすために、サービスをするセルの測定された信号品質は、定義済みの量の時の定義済みのしきい値未満でなければならない。数学的には、セルサーチをトリガーするために、Ｓｑｕａｌ≦Ｓｉｎｔｅｒｓｅａｒｃｈであり、セル再選択するために、 Ｔｒｅｓｅｌｅｃｔｉｏｎの持続期間の間、Ｓｑｕａｌ  ≦Ｓｉｎｔｅｒｓｅａｒｃｈである。
【００８９】
１つの実施例において、ＵＥでセルサーチをトリガーするために、ＨＮＢは、ＵＥが信号品質測定を行なう時間と一致するビーコンを送信し、その時間は、図８においてＸをマークされる、測定された信号品質（Ｓｑｕａｌ）が前もって定義したしきい値（ＳｉｎｔｅｒｓｅａｒｃｈまたはＳｉｎｔｒａｓｅａｒｃｈ）以下に低下するほどのものである。ここに使用されるように、「ビーコンバースト」の用語は、ＵＥが、サービスをするＮＢを再び得るべき期待時間とほぼ等しい長さのビーコンの送信について記述するために使用される。
【００９０】
ＵＥでセル再選択をトリガーするために、測定された信号品質は、時間の所定量の間に前もって定義したしきい値未満でなければならない。したがって、１つの実施例において、ＨＮＢは、ＵＥが第１のＤＲＸのサイクルにおいて信号品質測定を実行し、ＵＥが、第２のＤＲＸサイクルにおいて信号品質測定を行なう第２の時間と一致する第２のビーコンを送信する第１の時間と一致する第１のビーコンを送信する。
【００９１】
図９を参照すると、多数のビーコンは、連続するＤＲＸサイクルにおいて送信することができる。図９において、ＤＲＸサイクルは１．２８秒であり、また、ＵＥは、第１と第２のＤＲＸのサイクルのＳＦＮ９および１３７でそれぞれ立ち上がる。測定された信号品質（Ｓｑｕａｌ）が、セル再選択を引き起こすために前もって定義したしきい値（ＳｉｎｔｅｒｓｅａｒｃｈまたはＳｉｎｔｒａｓｅａｒｃｈ）より低いに違いない前もって決められた時間（Ｔｒｅｓｅｌｅｃｔｉｏｎ）が１秒に等しいと仮定すると、ＳＦＮ９の第１のＤＲＸのサイクルの間に第１のビーコンの送信は、ＵＥがセルサーチ手順を実行することをトリガーし、また、ＳＦＮ１３７の第２のＤＲＸサイクルの間の第２のビーコンの送信は、ＳｑｕａがＴｒｅｓｅｌｅｃｔｉｏｎのためのＳｉｎｔｅｒｓｅａｒｃｈあるいはＳｉｎｔｒａｓｅａｒｃｈより低くさせるだろう。従って、ＵＥはセル再選択手順を実行し、ビーコンを送信するＨＮＢを恐らく選択するだろう。
【００９２】
図９は、図１０に関して記載されたより一般的な方法の特有の例である方法の結果を例示し、それは干渉ビーコンを送信する方法５３０を例示する。図２のＨＮＢ３０によって例えば方法５３０を実行することができるだろう。方法５３０は、ブロック５３１において、１つ以上の無線通信デバイスが第１のセルと通信する、少なくとも第１の周波数の決定を開始する。例えば、１つの実施例では、図２のＨＮＢ３０は、ＵＥがマクロＮＢで通信しているマクロの周波数を決定する。決定は、ＵＥがマクロＮＢを再び得る時のように進行中の通信の周波数の測定により例えば行なわれ得る。決定もメモリに格納された１つ以上の周波数へのアクセスにより行なわれ得る。あるいは、決定は受け身で行われて得る。
【００９３】
次に、ブロック５３２において、無線通信デバイスの少なくとも１つの第１の多と上がりが決定される。１つの実施例において、第１の覚醒時間は、ＩＭＳＩおよびＳＦＮが特有のＩＭＳＩに関連するＵＥの覚醒時間を決定するために使用される上記の式に従って決定される。別の実施例では、第１の覚醒時間は、覚醒時間のＵＥパターンの観察によって決定される。
【００９４】
一旦、第１の覚醒時間が決定されれば、方法５３０は、干渉ビーコンが第１の覚醒時間の間第１の周波数で送信されるブロック５３３に継続する。１つの実施例では、干渉ビーコンは、無線通信デバイスによって測定された信号品質が前もって決定されたしきい値未満であるそのように送信される。１つの実施例では、干渉ビーコンは無線通信デバイスが第１のセルを再び得るための予想時間とほぼ等しい持続がある。
【００９５】
多くの場合において、ブロック５３１、５３２および５３３に関して記述されたステップの実行は、セルサーチ手順を行なうために無線通信デバイスをトリガーするだろう。
【００９６】
次に、ブロック５３４では、無線通信デバイスの第２の覚醒時間が決定される。この決定はブロック５３２に関して上に記述されるようにこの決定は実行されることができる。ブロック５３４はブロック５３２および５３３の後とし記載される（また図１０で例示される）が、ブロック５３４に関連したステップの実行はブロック５３２あるいは５３３の前に、あるいはブロック５３２あるいは５３３と同時に実行されることができる。
【００９７】
一旦第２の覚醒が決定されれば、方法５３０は第２の干渉ビーコンが、第２の覚醒時間の間第１の周波数で送信されるブロック５３５に継続する。ブロック５３３に関して上に言及されるように、１つの実施例において、干渉ビーコンは、無線通信デバイスによって測定された信号品質が前もって決定されたしきい値未満であるように送信される。１つの実施例において、干渉ビーコンは、無線通信デバイスが第１のセルを再び得るために予定される時間とほぼ等しい持続期間である。
【００９８】
上に言及されるように、多くの場合では、ブロック５３１、５３２および５３３に関して記述されたステップの実行は、セルサーチ手順を行なうために無線通信デバイスをトリガーするだろう。多くの場合では、ブロック５３４および５３５に関して記述されたステップの実行は、セル再選択手順を行なうために無線通信デバイスをトリガーするだろう。しかしながら、測定された信号品質がそのためにサーチしきい値未満であるに違いない予め決定された時間が長い場合、２つを超えるビーコンの送信はセル再選択を引き起こすために要求され得る。図１０に示されなかったが、方法５３０は第３（あるいは第４などの）覚醒時間の第１の周波数で第３（あるいは第４などの）覚醒時間の決定および第３（あるいは第４などの）干渉ビーコンの送信を含めるために修正することができる。
【００９９】
セル再選択手順が行なわれた後、プロセス５３０は、ブロック５３６において、第１の周波数と異なる第２の周波数で無線通信デバイスとの通信で終わる。
【０１００】
いくつかの実施例において、ＨＮＢは、マクロＮＢのＳＦＮタイミングを有しているが、それは、ＵＥの第１の覚醒時間がランダムで未知であるようにＵＥがＳｑｕａｌ測定のために覚醒するＳＦＮの情報を有しないだろう。１つの実施例において、ＨＮＢは、ＵＥ覚醒時間の観察を通して立ち上がるＳＦＮを決定することを試みる。しかしながら、別の実施例において、ＨＮＢは、図１１に例示されるような多数の潜在的なＵＥの覚醒時間をターゲットとするビーコンバーストを送信する。
【０１０１】
ビーコンがあらゆるＵＥの目覚ましの時間に送信される場合、そのような送信はそのＩＭＳＩが特別のＰＩ値に写像するすべてのＵＥの捜索および再選択を引き起こすことができる。ＨＮＢに関連した１つを超えるＩＭＳＩがある場合、ＨＮＢは、多数のＩＭＳＩをカバーすると記述されるような重畳されたビーコンパターンを送信し得る。同様に、１つを超える近くのマクロＮＢがある場合、ＨＮＢは多数のマクロＮＢのタイミングをカバーすると記述されるような重畳されたビーコンパターンを送信し得る。
【０１０２】
図１１は、図１２に関して記述された、より一般な方法の特有の例である方法の結果を示し、それは干渉ビーコンを送信する他の方法を示す。方法５４０は、例えば、図２のＨＮＢ３０によって実行されることができる。方法５４０は、ブロック５４１において、１つ以上の無線通信デバイスが第１のセルと通信する、少なくとも１つの第１の周波数の決定から開始する。例えば、１つの実施例において、図２のＨＮＢ３０は、ＵＥがマクロＮＢで通信するマクロの周波数を決定する。決定は、例えばＵＥがマクロＮＢを再び得るような進行中の通信の周波数の測定により実行され得る。決定は、また、メモリに格納された１つ以上の周波数へのアクセスにより実行され得る。あるいは、決定は受け身で実行されることができる。
【０１０３】
次に、ブロック５４２において、無線通信デバイスの少なくとも１つの複数の潜在的な覚醒時間が決定される。１つの実施例では、潜在的な覚醒時間は、既知のＳＦＮがＵＥの潜在的な覚醒時間の決定に使用される上記の式に従って決定される。別の実施例では、潜在的な起床回は、方法５４０を始める前に目覚ましの回のＵＥパターンについての観察によって決定される。
【０１０４】
一旦複数の覚醒時間が決定されれば、方法５４０は、複数の干渉ビーコンが潜在的な覚醒時間の間に第１の周波数で送信されるブロック５４３に継続する。１つの実施例において、干渉ビーコンは、無線通信デバイスによって測定された信号品質が前もって決定されたしきい値未満であるそのように送信される。１つの実施例において、干渉ビーコンは無線通信デバイスが最初のセルを再び得るために期待時間とほぼ等しい持続時間がある。干渉ビーコンが複数の決定された潜在的な覚醒時間の各々で送信される必要はない。
【０１０５】
多くの場合において、ブロック５４１、５４２および５４３に関して記述されたステップの実行は、セルサーチ手順を行なうために無線通信デバイスをトリガーするだろう。さらに、ブロック５４３中における送信が十分に長く継続する場合に、そのような送信は、同様にセル再選択手順を行なうために無線通信デバイスをトリガーするだろう。特に、送信がＵＥの測定された信号品質（Ｓｑｕａｌ）が時間（Ｔｒｅｓｅｌｅｃｔｉｏｎ）の前もって決定された量の間に前もって決定されたしきい値（ＳｉｎｔｅｒｓｅａｒｃｈまたはＳｉｎｔｒａｓｅａｒｃｈ）未満であるならば、セル再選択は実行されるだろう。
【０１０６】
セル再選択手順が実行された後に、処理５４０は、ブロック５４４において第１の周波数と異なる第２の周波数で無線通信デバイスとの通信で終わる。
【０１０７】
図１１および１２に例示された方法に似ている方法を使用して、ターゲットとされたＵＥの再選択の平均遅延は、Ｔｒｅｓｅｌｅｃｔｉｏｎ×ＤＲＸ＿ｃｙｃｌｅ×ｎＭａｃｒｏＮＢ×ｎＩＭＳＩであり、ここで、ＤＲＸ＿ｃｙｃｌｅは、ＤＲＸサイクルの長さであり、ｎＭａｃｒｏＮＢはターゲットとされたマクロＮＢの数であり、また、ｎＩＭＳＩはターゲットとされたＵＥの数である。例えば、１つのマクロＮＢおよび１つのＵＥだけがターゲットとされる場合、Ｔｒｅｓｅｌｅｃｔｉｏｎは１秒であり、また、ＤＲＸサイクルは１．２８秒である、再選択のための平均遅延時間は１．２８秒である。ターゲットとされたＵＥの再選択のための最悪のケース遅れは平均遅延時間の２倍である。したがって、上で記載された例のために、より悪いケースの遅れは２．５６秒になるだろう。
【０１０８】
上記の図１１に示されるような送信の代わりとして、ＨＮＢは、ｎフレームごとにＸｍｓの持続期間のビーコンを送信するようにビーコン送信を時間的に同様させ得、ここで、ｎが、全てのＵＥ覚醒ＳＦＮをカバーするために。１、２、３、…１２７である。
【０１０９】
ＨＮＢが近くのＵＥのＩＭＳＩに関する情報、および近くのマクロＮＢのＳＦＮ（また構造境界）に関する情報を持っている実施例が上に記述される。別の実施例では、ＨＮＢは、近くのＮＢのＳＦＮ（またフレーム境界）に関する情報を持っているが、近くのＵＥのＩＭＳＩに関するデータを持っていない。ＨＮＢがＩＭＳＩ情報を持っているその場合に関して上に記述された方法は、修正して適用されることができる。
【０１１０】
上に示され、下に作成される式から、ｑの計算において、ＩＭＳＩが付加的なオフセット定数を加えることは明白である。この一定のオフセットは、モジューロＮｐ演算によりＮｐ−１を超過しないだろう。ＰＩ値＝（ＩＭＳＩ  ｄｉｖ  ８１９２）ｍｏｄ  Ｎｐ；および
【数２】
0005275479.tif 000003
【０１１１】
ＨＮＢがＩＭＳＩ情報を持っているその場合に関して上に記述された方法は、０からＮｐ−１までＰＩ値を変えることにより適用することができる。ＵＥのＩＭＳＩが未知であるので、上に記述されたビーコン送信パターンは、大部分、Ｎｐ回で通り抜けて循環しなければならないだろう。この方法はＨＮＢ発見時間に最低の最悪のケース遅れを提供する。
【０１１２】
図１３を参照して、ＨＮＢ発見の累積密度関数（ｃｕｍｕｌａｔｉｖｅ  ｄｅｎｓｉｔｙ  ｆｕｎｃｔｉｏｎ：ＣＤＦ）は、Ｎｐが１８であり、Ｔｒｅｓｅｌｅｃｔｉｏｎは１ミリ秒であり、ＤＲＸ＿ｃｙｃｌｅは１．２８ミリ秒であり、ｎＭａｃｒｏＮＢは１である場合に対してシミュレートされる。ＰＩ値は、０とＮｐ−１の間の一定のランダムな変数に近づく。ビーコン伝送パターンが、大部分で、Ｎｐ個の異なる構成を通して循環しなければならないので、ＨＮＢ発見時間は２×ＤＲＸ＿ｃｙｌｅ秒と２×Ｎｐ×ＤＲＸ＿ｃｙｃｌｅ秒の間の一定のランダムな変数に接近する。
【０１１３】
図１２におけるフローチャートによって例示された方法５４０は、また、ＨＮＢが、近くのＵＥに関するＩＭＳＩ情報を持っていないその場合に適用されることができる。ブロック５４２において決定された複数の潜在的な覚醒時間は、ｑを決定する際にＮｐ個の異なるオフセット値を通して循環することにより、１つの実施例において決定されることができる。
【０１１４】
別の実施例では、ＨＮＢは、ＳＦＮあるいはＩＭＳＩ情報を有していない。上に記述されるように、ＵＭＴＳセルラーネットワークにおいて、ＵＥはすべてのＤＲＸサイクルを立ち上げ、サービスをするマクロＮＢの信号品質（Ｓｑｕａｌ）を測定する。１つの実施例において、サービスをするＮＢの信号品質測定は、図８に示されるようなＰＩＣＨ上でＰＩを読む出す前に得られる。
【０１１５】
ＨＮＢでのビーコン送信がＵＥでセルサーチをトリガーするために、サービスをするセルの測定された信号品質は前もって定義されたしきい値未満であるに違いなく、また、ＵＥでセル再選択をトリガーするために、サービスをするセルの測定された信号品質は、前もって定義された時間の量の間に前もって定義されたしきい値未満でなければならない。数学上、セルサーチ、ＳｑｕａｌをトリガーするためにＳｑｕａｌ≦Ｓｉｎｔｅｒｓｅａｃｈであり、また、セル再選択をトリガーするために、Ｔｒｅｓｅｌｅｃｔｉｏｎの持続の時間の間にＳｑｕａｌ≦Ｓｉｎｔｅｒｓｅａｃｈである。上に注意されるように、Ｆｉｇｕｒｅ  ９に示されるように、これは１つを超える干渉ビーコンが１つを超えるＤＲＸサイクルに送信されることを要求してもよい。
【０１１６】
１つの実施例では、ｑ１が０と上記のｑのための方程式の中で計算されるようなＮｐ−１の間にある場合、ＵＥはｑ１×Ｎｐ×１０／３００ミリ秒と等しいｑ＿ｔｉｍｅ１で最初のＤＲＸのサイクル中に貢献するＮＢからページング指標（ＰＩ）を読む。さらに、ＵＥはｑ２×Ｎｐ×１０／３００ミリ秒と等しいｑ＿ｔｉｍｅ２で第２のＤＲＸサイクルの間にサービスをするＮＢからＰＩを読み出し、ここで、ｑ２は０と上記のｑのための式において計算されるようなＮｐ−１の間にある。これらの２回の間の差はｑ＿ｄｉｆｆである。数学的には、ｑ＿ｄｉｆｆ＝ｑ＿ｔｉｍｅ２−ｑ＿ｔｉｍｅ１である。
【０１１７】
ｑ＿ｄｉｆｆの確率塊関数（あるいは他の特徴）についての知識は、ビーコン送信パターンを設計するのに使用されることができる。例えば、ｑ＿ｄｉｆｆに関する情報は、第１のＤＲＸのサイクルの間に決定された覚醒時間に基づいた第２のＤＲＸサイクルに対して決定されたＵＥの覚醒時間にビーコンを送信するために使用され得る。
【０１１８】
図１４を参照して、ＵＥの覚醒時間の差の推定された確率塊関数は記載される。上で注意されるように、ｑはＩＭＳＩ、ＳＦＮおよびＮｐに依存する。図１４の確率塊関数のグラフは、１８の定数値にＮｐをセットしＩＭＳＩとＳＦＮを変えることにより生成された。図１４から、少数の観察がなされることができる。見られることができるように、ｑ＿ｄｉｆｆは一定の確率変数に接近しない。実際、ｑ＿ｄｉｆｆは、単に−１０ミリ秒と１０ミリ秒の間の少数の値をとる。２．１３３ミリ秒の値をとるｑ＿ｄｉｆｆの確率は他のものより高く、およそ０．３７１８に等しい。値に２〜４ミリ秒に間の値をとるｑ＿ｄｉｆｆの確率は、およそ０．６９８７である。
【０１１９】
多次元の確率塊関数は、先の１つ以上の覚醒時間に基づいて生成されることができる。例えば、ｑ＿ｄｉｆｆ２（ａ、ｂ）は定義されることができ、ここでａ＝ｑ＿ｔｉｍｅ３−ｑ＿ｔｉｍｅ２、ｂ＝ｑ＿ｔｉｍｅ２−ｑ＿ｔｉｍｅ１、また、ｑ＿ｔｉｍｅ３は上記のｑ＿ｔｉｍｅ２およびｑ＿ｔｉｍｅ１のように計算される。ｑ＿ｄｉｆｆ２の確率塊関数も潜在的なＵＥの覚醒時間を決定するために使用されることができる。
【０１２０】
１つの実施例では、ビーコン送信パターンは、ＵＥの覚醒時間の差の評価された確率塊関数に基づく。
【０１２１】
ｑ＿ｄｉｆｆの確率塊関数に基づいたビーコン送信の例は、図１５−１８に例示される。図１５を参照して、ビーコン送信パターンの１つの実施例には２ミリ秒のオン期間および８ミリ秒のオフ期間がある。図１６を参照して、ビーコン送信パターンの他の実施例は、２ミリ秒のパターンシフトを含む。ｑ＿ｄｉｆｆの確率塊関数（ｐｒｏｂａｂｉｌｉｔｙ  ｍａｓｓ  ｆｕｎｃｔｉｏｎ：ＰＭＦ）に基づいたパターンシフトは、ＤＲＸサイクルの後に（あるいは多数のＤＲＸサイクルあるいは各ＤＲＸサイクルの後に）適用されることができる。パターンシフトは、時間変化であり得る。図１６は、図１５でのように８ミリ秒ではなくむしろ２つのＤＲＸサイクル間に１０ミリ秒のオフ期間があるという点で、２ミリ秒のパターンシフトを示す。
【０１２２】
図１７を参照して、ビーコン送信パターンの別の実施例には４ミリ秒のオン期間および１６ミリ秒のオフ期間がある。図１８を参照して、ビーコン送信パターンの別の実施例は、２ミリ秒のパターンシフトを含む。ｑ＿ｄｉｆｆの確率塊関数（ｐｒｏｂａｂｉｌｉｔｙ  ｍａｓｓ  ｆｕｎｃｔｉｏｎ：ＰＭＦ）に基づいたパターンシフトは、ＤＲＸサイクルの後に（あるいは多数のＤＲＸサイクルあるいは各ＤＲＸサイクルの後に）に適用されることができる。パターンシフトは、時間変化であり得る。図１８は、図１７でのように、１６ミリ秒ではなくむしろ２つのＤＲＸサイクル間に１８ミリ秒のオフ期間があるという点で、２ミリ秒のパターンシフトを示す。図１５−１８のビーコン送信パターンが例にしぎないことが認識されるべきである。ビーコンパターンは、異なるＯＮおよびＯＦＦ持続時間をとり得る。さらに、パターンシフトは、決定論的あるいはランダムであり得る。
【０１２３】
上に言及されるように、近くの許可されていないＵＥに対する干渉は望ましくない。マクロＮＢによるアクティブコールでのＵＥは、ビーコン送信によって否定的に強い影響を与えられ得る。例えば、ＵＥ  ＣＱＩ（チャネル品質指標（Ｃｈａｎｎｅｌ  Ｑｕａｌｉｔｙ  Ｉｎｄｉｃａｔｏｒ））測定は影響され得る。ＵＭＴＳセルラーネットワークでは、ＵＥはダウンリンクチャネル品質を測定しマクロＮＢにＨＳ−ＤＰＣＣＨ（高速専用物理制御チャネル（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ））に関するＣＱＩ報告書を送り、マクロＮＢは、パケット伝送のスケジュールを立てるためにそれを使用する。ビーコンがＣＱＩ測定の間にＨＮＢによって送信される場合、これは、ＵＥに割り付けられたより小さいパケットサイズあるいはより少ないパケット送信に帰着することができ、それによって、データの処理量を減少する。別の例として、ＨＳ−ＤＳＣＨ（高速ダウンリンク共有チャネル（Ｈｉｇｈ  Ｓｐｅｅｄ  Ｄｏｗｎｌｉｎｋ  Ｓｈａｒｅｄ  Ｃｈａｎｎｅｌ））上のデータパケットも影響されることができる。ＵＭＴＳセルラーネットワークでは、ＨＳ−ＰＤＳＣＨ（物理的なダウンリンク共有チャネル（Ｐｈｙｓｉｃａｌ  Ｄｏｗｎｌｉｎｋ  ＳｈａｒｅｄＣｈａｎｎｅｌ））上の１つ以上はＵＥにデータを運ぶ。ビーコン送信は幾らかのこれらのチャネルに影響を与え、あるＴＴＩ（送信時間間隔（Ｔｒａｎｓｍｉｓｓｉｏｎ  Ｔｉｍｅ  Ｉｎｔｅｒｖａｌｓ）を横切って影響を与える。
【０１２４】
ＨＮＢが、ＣＱＩフィードバックの位置および持続期間を推定するためのＵＥアップリンクを検知するために移動体センシングを使用する場合、これらの影響は、少なくとも部分的に緩和され得て、そして、この情報に基づいて、ＵＥのＣＱＩ測定時期を回避するビーコンパターンを送信する。さらに、ＨＮＢは、多くの他の干渉抑圧アクションのうちのいずれかを採用することができる。例えば、許可されていないＵＥのための登録の試みを検知する際、ＨＮＢは、そのマクロの周波数でビーコンをターンオフすること、ビーコンの力を弱めること、あるいはビーコンをより頻繁でなくあるいはパワーを変化して送信することにより、許可されていないＵＥにそれが引き起こし得るあらゆる干渉を緩和するためにそのビーコン伝送パターンを修正することができる。
【０１２５】
特有のマクロの周波数のビーコンが、許可されていないＵＥに干渉することを避けるためにターンオフされる場合、特にそのマクロの周波数のビーコン送信は時間の予め決められた量の後に再開され得る。あるいは、復元は、時間に対するビーコンのパワーを立ち上げることによって達成することができる。
【０１２６】
ＵＬ（アップリンク）の上のモバイルセンシングは、ＨＮＢの近くのユーザの存在を検知するために使用され得る。ユーザがＨＮＢの近くでいる場合、ＨＮＢは上に記述された干渉管理方法の１つ以上を適用することができる。さらに、ＨＮＢ送信電力はビーコン伝送パターンに依存して変更されてもよい。これはもしあればパワー制限を提供するために行われ得る。
【０１２７】
ここに（例えば伴う図の１つ以上に関して）記述された機能性は、いくつかの態様において、添付された請求項において指定された「のための手段」という機能性に同様に対応し得る。図１９を参照して、装置７００は、一連の相互関係がある機能モジュールとして表わされる。図１９に関して、周波数決定モジュール７１０は、少なくともいくつかの態様において、例えば、ここに議論されるような、プロセッサ、メモリ、あるいはトランシーバに対応し得る。周波数決定モジュール７１０は、１つ以上の無線通信デバイスが第１のセルと通信する少なくとも１つの第１の周波数を決定し得る。周波数決定モジュール７１０は、１つ以上の無線通信デバイスが第１のセルと通信する多数の周波数を決定し得る。覚醒決定モジュール７１５は、少なくともいくつかの態様において、例えば、ここに議論されるような、プロセッサ、メモリあるいはトランシーバに対応しえる。覚醒決定モジュール７１５は、無線通信デバイスの少なくとも１つの第１の覚醒時間を決定し得る。覚醒決定モジュール７１５は、さらに、無線通信デバイスの少なくとも１つの第２の覚醒時間を決定し得る。覚醒決定するモジュール７１５は、無線通信デバイスの少なくとも１つの複数個の潜在的な覚醒時間を決定し得る。ビーコン送信モジュール７２０は、少なくともいくつかの態様において、例えば、ここに議論されるような、プロセッサ、ネットワークインターフェース、エアーインターフェース、送信器、トランシーバ、あるいは１本以上のアンテナに対応する。ビーコン伝送モジュール７２０は、少なくとも部分的に第１の周波数で通信に干渉し、かつ無線通信デバイスの少なくとも１つによるセル再選択処理を開始するように構成された第１の周波数で干渉ビーコンを送信し得る。通信モジュール７２５は、少なくともいくつかの態様において、例えば、ここに議論されるような、プロセッサ、ネットワークインターフェース、エアーインターフェース、トランシーバ、送信器、受信機あるいは１本以上のアンテナに対応し得る。通信モジュール７２５は、第１の周波数と異なる第２の周波数で無線通信デバイスの少なくとも１つと通信し得る。
【０１２８】
図１９のモジュールの機能性は、ここでの示唆と一致する様々な方法でインプリメントされ得る。いくつかの態様において、これらのモジュールの機能性は、１つ以上の電気部品としてインプリメントされてもよい。いくつかの態様において、これらのブロックの機能性は、１つ以上のプロセッサコンポーネントを含む処理システムとしてインプリメントされ得る。いくつかの態様において、これらのモジュールの機能性は、例えば、１つ以上の集積回路（例えばＡＳＩＣ）の少なくとも１つの部分を使用してインプリメントされ得る。ここに議論されるように、集積回路は、プロセッサ、ソフトウェア、他の関連するコンポーネント、あるいはそれのある組合せを含み得る。これらのモジュールの機能性は、さらにここに教えられるような他のある方法でインプリメントされ得る。いくつかの態様において、図１９あるいは他の図の中の任意のダッシュが付けられたブロックの１つ以上はオプションである。
【０１２９】
当業者は、情報と信号が様々な異なる技術および技巧のうちのどれでも使用して表わされ得ると理解するだろう。例えば、上記の記述の全体にわたって参考され得るデータ、命令、コマンド、情報、信号、ビット、記号、およびチップは、電圧、電流、電磁波、磁界あるいは磁性粒子、光フィールドあるいは光粒子、またはそれの任意の組合せによって表わされ得る。
【０１３０】
熟練者は、ここに開示された実施例に関連して記載されたさまざまな実例となる論理ブロック、モジュール、回路、およびアルゴリズムのステップは、電子的なハードウェア、コンピュータソフトウェア、あるいは両方の組合せとしてインプリメントされ得ることをさらに認識するだろう。ハードウェアおよびソフトウェアの互換性を明らかに表すために、さまざまな実例となるコンポーネント、ブロック、モジュール、回路、およびステップはそれらの機能性の点から上に一般に記載された。そのような機能がハードウェアまたはソフトウェアとしてインプリメントされるかどうかは、全体のシステムに課された特定の応用と設計の制約に依存する。熟練した技術者は、各特定の応用に対する方法を変えることにおける記述された機能性をインプリメントし得るが、そのようなインプリメンテーションの決定は、現在の開示の範囲から逸脱することを引き起こすとは解釈されるべきでない。
【０１３１】
ここに示された実施例に関して記述された、さまざまな実例となる論理ブロック、モジュール、および回路は、汎用プロセッサ、デジタル信号プロセッサ（ｄｉｇｉｔａｌ  ｓｉｇｎａｌ  ｐｒｏｃｅｓｓｏｒ：ＤＳＰ）、特定用途向けＩＣ（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）、フィールドプログラマブルゲートアレイ（ｆｉｅｌｄ  ｐｒｏｇｒａｍｍａｂｌｅ  ｇａｔｅ  ａｒｒａｙ：ＦＰＧＡ）あるいは他のプログラマブルロジックデバイス、個別ゲートロジックあるいはトランジスターロジック、個別ハードウェアコンポーネント、またはここに記述された機能を実行するよう設計されたそれらの任意の組合せでインプリメントされ得る。汎用プロセッサは、マイクロプロセッサであり得るが、代わりに、プロセッサは任意の従来のプロセッサ、コントローラ、マイクロコントローラ、あるいはステートマシンであり得る。プロセッサは、また、コンピューティング装置、例えば、ＤＳＰとマイクロプロセッサの組合せ、複数のマイクロプロセッサ、ＤＳＰコアと協働する１個以上のマイクロプロセッサ、あるいは他のそのような構成としてインプリメントされ得る。
【０１３２】
１つ以上の典型的な実施例において、記述された機能は、ハードウェア、ソフトウェア、ファームウェア、あるいはそれの任意の組合せにおいてインプリメントされ得る。もしソフトウェア中でインプリメントされれば、機能は、コンピュータ可読媒体上の１つ以上の命令あるいはコードとして格納されるか、あるいは送信され得る。コンピュータ読取り可能な媒体は、ある場所から別の場所へコンピュータプログラムの転送を促進する任意の媒体を含むコンピュータ記憶媒体および通信メディアの両方を含んでいる。記憶媒体は、コンピュータによってアクセスされることができる任意の利用可能な媒体であり得る。限定ではなく例によって、そのようなコンピュータ読取り可能な媒体は、ＲＡＭ、ＲＯＭ、ＥＥＰＲＯＭ、ＣＤ−ＲＯＭ、または他の光学ディスク記憶装置、磁気ディスク記憶装置あるいは他の磁気記憶装置、または、希望のプログラムコードを命令あるいはデータ構造の形式で運ぶか格納するために使用されることができ、コンピュータによってアクセスされることができる任意の他の媒体を備える。さらに、どんな接続も、適切に、コンピュータ可読媒体と名付けられる。例えば、同軸ケーブル、光ファイバーケーブル、ツイストペア、デジタル加入者線（ｄｉｇｉｔａｌ  ｓｕｂｓｃｒｉｂｅｒ  ｌｉｎｅ：ＤＳＬ）あるいは赤外線、ラジオおよびマイクロ波のような無線技術を使用して、ソフトウェアが、ウェブサイト、サーバーあるいは他の遠隔のソースから送信される場合、同軸ケーブル、光ファイバーケーブル、ツイストペア、ＤＳＬあるいは赤外線、ラジオおよびマイクロ波のような無線技術は、媒体の定義に含まれ得る。ディスク（ｄｉｓｋ）およびディスク（ｄｉｓｃ）が、ここで使用されるように、ディスク（ｄｉｓｋ）がレーザーでデータを光学的に再生する一方、ディスク（ｄｉｓｃ）が通常磁気的にデータを再生するコンパクトディスク（ｃｏｍｐａｃｔ  ｄｉｓｃ：ＣＤ）、レーザーディスク（登録商標）、光ディスク、ディジタル・バーサタイル・ディスク（ｄｉｇｉｔａｌ  ｖｅｒｓａｔｉｌｅ  ｄｉｓｃ：ＤＶＤ）、フロッピーディスク、およびブルーレイディスクを含む。上記のものの組合せも、コンピュータ読取り可能な媒体の範囲内に含まれるべきである。
【０１３３】
示された実施例の前の記載はどんな当業者も現在の開示を作るか使用することを可能にするために提供される。これらの実施例への様々な修正は当業者に容易に明白になるだろう、また、ここに定義された総括的な原理は、開示の精神あるいは範囲から外れずに、他の実施例に適用され得る。したがって、現在の開示は、ここに示された実施例に限定されるように意図されないが、ここに示された原理および新規な特徴と一致する最も広い範囲を与えられることになっている。
以下に本件出願当初の特許請求の範囲を付記する。
［１］無線通信デバイスにおいてセル再選択を開始するための方法であって、
１つ以上の無線通信デバイスが第１のセルと通信する第１の周波数を決定することと、
および少なくとも部分的に前記第１の周波数で通信に干渉し、また前記無線通信デバイスの少なくとも１つによるセル再選択処理を開始するように構成される前記第1の周波数で干渉ビーコンを送信することと
を備える方法。
［２］前記第１の周波数と異なる第２の周波数で無線通信デバイスの前記少なくとも１つと通信することをさらに備える［１］の方法。
［３］前記ビーコンは、１つ以上のオーバヘッドチャネルを備える［１］の方法。
［４］前記ビーコンは、Ｐ−ＳＣＨ（主要な同期化チャネル（Ｐｒｉｍａｒｙ  Ｓｙｎｃｈｒｏｎｉｚａｔｉｏｎ  Ｃｈａｎｎｅｌ））、Ｓ−ＳＣＨ（従属的な同期化チャネル（Ｓｅｃｏｎｄａｒｙ  Ｓｙｎｃｈｒｏｎｉｚａｔｉｏｎ  Ｃｈａｎｎｅｌ））、ＰＣＣＰＣＨ（主要な共通制御物理チャネル（Ｐｒｉｍａｒｙ  Ｃｏｍｍｏｎ  Ｃｏｎｔｒｏｌ  Ｐｈｙｓｉｃａｌ  Ｃｈａｎｎｅｌ））、ＢＣＣＨ（ブロードキャスト制御チャネル（Ｂｒｏａｄｖａｓｔ  Ｃｏｎｔｒｏｌ  Ｃｈａｎｎｅｌ））、ＰＩＣＨ（ページング指標チャネル（Ｐａｇｉｎｇ  Ｉｎｄｉｃａｔｏｒ  Ｃｈａｎｎｅｌ））、ＰＣＨ（ページング制御チャネル（Ｐａｇｉｎｇ  Ｃｏｎｔｒｏｌ  Ｃｈａｎｎｅｌ）およびＰＣ−ＰＩＣＨ（主要な共通パイロットチャネル（（Ｐｒｉｍａｒｙ  Ｃｏｍｍｏｎ  Ｐｉｌｏｔ  Ｃｈａｎｎｅｌ））の１つ以上を備える［３］の方法。
［５］前記ビーコンは、前記第１のセルと異なる第２のセルに関するセルデータを備える、［１］の方法。
［６］前記セルデータは、アクセス制限状態は、妨げられる（ｂａｒｒｅｄ）、確保される、あるいは、将来ユーザの状態のために確保されたれるセルのうちの１つがセットされることを示す［５］の方法。
［７］前記セルデータは、ＣＳＧ（閉じた加入者グループ（Ｃｌｏｓｅｄ  Ｓｕｂｓｃｒｉｂｅｒ  Ｇｒｏｕｐ））のために確保されたセルが正しくセットされたことを示す、［５］の方法。
［８］前記セルデータは、前記第１のセルのＬＡＩ（所在位置区域識別（Ｌｏｃａｔｉｏｎ  Ａｒｅａ  Ｉｄｅｎｔｉｆｉｅｒ）である前記ビーコンのＬＡＩを示す、［７］の方法。
［９］前記第１のセルの前記ＬＡＩは、前記第２のセルのＬＡＩとは異なる、［８］の方法。
［１０］前記無線通信デバイスの前記少なくとも１つの覚醒時間を決定することをさらに備え、前記ビーコンは決定された覚醒時間の間に送信される、［１］の方法。
［１１］前記無線通信デバイスの前記少なくとも１つの第２の覚醒時間を決定することと、および前記第２の決定された覚醒時間の間に前記第１の周波数で他の干渉ビーコンを送信することをさらに備える［１０］の方法。
［１２］第１の覚醒時間は、前記第１のセルのＳＦＮ（システムフレーム番号（Ｓｙｓｔｅｍ  Ｆｒａｍｅ  Ｎｕｍｂｅｒ））、および前記無線通信デバイスの前記少なくとも１つのＩＭＳＩ（国際的なモバイル加入者識別（Ｉｎｔｅｒｎａｔｉｏｎａｌ  Ｍｏｂｉｌｅ  Ｓｕｂｓｃｒｉｂｅｒ  Ｉｄｅｎｔｉｔｙ））に少なくとも部分的に基づいて決定されることを特徴とする［１０］の方法。
［１３］無線通信デバイスの少なくとも１つの複数の潜在的な（ｐｏｔｅｎｔｉａｌ）覚醒時間の決定することであって、前記ビーコンは前記複数の潜在的な覚醒時間のうちの１つに送信される、複数の潜在的な覚醒時間を決定することと、
および前記他の予め決定された潜在的な覚醒時間の間前記第１の周波数で複数の追加の干渉ビーコンを送信すること
をさらに備える［１］の方法。
［１４］前記潜在的な覚醒時間は、前記第１のセルのＳＦＮ（システムフレーム番号（Ｓｙｓｔｅｍ  Ｆｒａｍｅ  Ｎｕｍｂｅｒ））に少なくとも部分的に基づいて決定される、［１３］の方法。
［１５］前記第１の周波数で複数の干渉ビーコンを送信することをさらに備える［１］の方法。
［１６］前記第１の周波数で周期的に干渉ビーコンを送信する、［１］の方法。
［１７］無線通信デバイスにおいてセルの再選択を開始するための装置であって、
１つ以上の無線通信デバイスが第１のセルと通信する、第１の周波数を決定するように構成されたプロセッサと、
および、少なくとも部分的に前記第１の周波数で通信に干渉し、かつ前記無線通信デバイスの少なくとも１つによるセル再選択処理を開始するように構成された前記第１の周波数で干渉ビーコンを送信するように構成されたトランシーバと
を備える装置。
［１８］前記トランシーバは、前記第１の周波数と異なる第２の周波数で前記無線通信デバイスの少なくとも１つと通信するようさらに構成さる［１７］の装置。
［１９］前記ビーコンは、Ｐ−ＳＣＨ（主要な同期化チャネル（Ｐｒｉｍａｒｙ  Ｓｙｎｃｈｒｏｎｉｚａｔｉｏｎ  Ｃｈａｎｎｅｌ））、Ｓ−ＳＣＨ（従属的な同期化チャネル（Ｓｅｃｏｎｄａｒｙ  Ｓｙｎｃｈｒｏｎｉｚａｔｉｏｎ  Ｃｈａｎｎｅｌ））、ＰＣＣＰＣＨ（主要な共通制御物理チャネル（Ｐｒｉｍａｒｙ  Ｃｏｍｍｏｎ  Ｃｏｎｔｒｏｌ  Ｐｈｙｓｉｃａｌ  Ｃｈａｎｎｅ）、ＢＣＣＨ（ブロードキャスト制御チャネル（Ｂｒｏａｄｃａｓｔ  Ｃｏｎｔｒｏｌ  Ｃｈａｎｎｅｌ）、ＰＩＣＨ（ページング指標チャネル（Ｐａｇｉｎｇ  Ｉｎｄｉｃａｔｏｒ  Ｃｈａｎｎｅｌ）、ＰＣＨ（ページング制御チャネル（Ｐａｇｉｎｇ  Ｃｏｎｔｒｏｌ  Ｃｈａｎｎｅｌ）、およびＰＣ−ＰＩＣＨ（主要な制御パイロットチャネル（Ｐｒｉｍａｒｙ  Ｃｏｍｍｏｎ  Ｐｉｌｏｔ  Ｃｈａｎｎｅｌ）の１つ以上を含む、［１７］の装置。
［２０］前記プロセッサは、前記無線通信デバイスとトランシーバの少なくとも１つの覚醒時間を決定するよう構成され、前記トランシーバは、前記決定された覚醒時間の間に前記ビーコンを送信するように構成される、［１７］の装置。
［２１］前記第１の覚醒時間は、前記第１のセルのＳＦＮ（システムフレーム番号（Ｓｙｓｔｅｍ  Ｆｒａｍｅ  Ｎｕｍｂｅｒ）、および前記複数の無線通信デバイスの少なくとも１つのＩＭＳＩ（国際的なモバイル加入者識別（Ｉｎｔｅｒｎａｔｉｏｎａｌ  Ｓｕｂｓｃｒｉｂｅｒ  Ｉｄｅｎｔｉｔｙ）に少なくとも一部分基づいて決定されることを特徴とする［２０］の装置。
［２２］前記プロセッサは、前記無線通信デバイスの少なくとも１つの複数の潜在的な覚醒時間を決定するように構成され、また、トランシーバは前記複数の潜在的な覚醒時間のうちの１つに前記ビーコンを送信するように構成され、さらに、前記他の決定された潜在的な覚醒時間の間に前記第１の周波数で複数の追加の干渉ビーコンを送信するように構成された、［１７］の装置。
［２３］潜前記在的な覚醒時間は、前記第１のセルのＳＦＮ（システムフレーム番号（Ｓｙｓｔｅｍ  Ｆｒａｍｅ  Ｎｕｍｂｅｒ）に少なくとも部分的に基づいて決定される、［２２］の装置。
［２４］１つ以上の無線通信デバイスが第１のセルと通信する第１の周波数をコンピュータに、決定させるためのコードと、
および、少なくとも部分的に前記第１の周波数で通信に干渉し、また前記無線通信デバイスの少なくとも１つによるセル再選択処理を開始するように構成された前記第１の周波数でコンピュータに干渉ビーコンを送信させるためのコードと
をさらに備えるコンピュータ可読媒体を備えるコンピュータプログラム製品。
［２５］コンピュータに、前記第１の周波数と異なる第２の周波数で前記無線通信デバイスの前記少なくとも１つと通信させるためコードをさらに含む、［２４］のコンピュータプログラム製品。
［２６］コンピュータに、前記無線通信デバイスの前記少なくとも１つの第１の覚醒時間を決定させ、かつ前記決定された第１の覚醒時間にビーコンを送信するためのコードをさらに備える、［２４］のコンピュータプログラム製品。
［２７］前記第１の覚醒時間は、前記第１のセルのＳＦＮ（システムフレーム番号（Ｓｙｓｔｅｍ  Ｆｒａｍｅ  Ｎｕｍｂｅｒ））および前記複数の無線通信デバイスの前記少なくとも１つのＩＭＳＩ（国際的なモバイル加入者識別（Ｉｎｔｅｒｎａｔｉｏｎａｌ  Ｍｏｂｉｌｅ  Ｓｕｂｓｃｒｉｂｅｒ  Ｉｄｅｎｔｉｔｙ））に少なくとも部分的に基づいて決定される、［２６］のコンピュータプログラム製品。
［２８］コンピュータに、前記無線通信デバイスの前記少なくとも１つの複数の潜在的な覚醒時間を決定させ、前記複数の潜在的な覚醒時間のうちの１つの間に前記ビーコンを送信させるためのコードと、
およびコンピュータに前記他の決定された潜在的な覚醒時間の間に前記第１の周波数で複数の追加の干渉ビーコンを送信させるためのコード
をさら備える［２４］のコンピュータプログラム製品。
［２９］前記潜在的な覚醒時間は、前記第１のセルのＳＦＮ（システムフレーム番号（Ｓｙｓｔｅｍ  Ｆｒａｍｅ  Ｎｕｍｂｅｒ））に少なくとも部分的に基づいて決定される、［２８］のコンピュータプログラム製品。
［３０］無線通信デバイスにおいてセルの再選択を開始するための装置であって、
１つ以上の無線通信デバイスが第１のセルと通信する第１の周波数を決定するための手段と、
および少なくとも部分的に前記第１の周波数で通信に干渉し、また前記無線通信デバイスの前記少なくとも１つによるセル再選択処理を開始するように構成された前記第１の周波数で干渉ビーコンを送信するための手段と
を備える装置。
［３１］前記第１の周波数と異なる第２の周波数で前記無線通信デバイスの少なくとも１つと通信するため手段をさらに備える［３０］の装置。
［３２］前記無線通信デバイスの前記少なくとも１つの第１の覚醒時間を決定するための手段をさらに備え、前記ビーコンは決定された第１の覚醒時間の間に送信される、［３０］の装置。
［３３］前記無線通信デバイスの前記少なくとも１つの複数の潜在的な覚醒時間を決定するための手段をさらに備え、前記ビーコンは、前記複数の潜在的な覚醒時間のうちの１つの間に送信され、また、複数の追加の干渉ビーコンが前記他の決定された潜在的な覚醒時間の間に前記第１の周波数で送信される、［３０］の装置。
【図１】
0005275479.tif 000004
【図２】
0005275479.tif 000005
【図３】
0005275479.tif 000006
【図４】
0005275479.tif 000007
【図５】
0005275479.tif 000008
【図６】
0005275479.tif 000009
【図７】
0005275479.tif 000010
【図８】
0005275479.tif 000011
【図９】
0005275479.tif 000012
【図１０】
0005275479.tif 000013
【図１１】
0005275479.tif 000014
【図１２】
0005275479.tif 000015
【図１３】
0005275479.tif 000016
【図１４】
0005275479.tif 000017
【図１５】
0005275479.tif 000018
【図１６】
0005275479.tif 000019
【図１７】
0005275479.tif 000020
【図１８】
0005275479.tif 000021
【図１９】
0005275479.tif 000022